(57)【要約】【課題】端末に基地局によってグラントのない上りリンクの伝送が設定された場合における端末及び基地局の動作方法を提供する。【解決手段】本発明は、無線通信システムに関し、より詳しくは、無線通信システムにおける端末及び基地局の動作方法並びにそれをサポートする装置に関する。より具体的には、本発明は、端末と基地局との間の信号の送受信において、端末が基地局に上りリンク信号を送信し、これに対するフィードバック情報を受信する構成などの動作方法に適用可能な様々な実施例に関する説明を含む。【選択図】図２１
2020127242.tif 000002
【特許請求の範囲】
【請求項１】
無線通信システムにおいて端末が基地局と通信するのに動作する方法であって、
繰り返し上りリンク伝送を行う繰り返し回数Ｋを決定することと、
それぞれのハイブリッド自動再送要求（ＨＡＲＱ）プロセス識別情報（ＩＤ）と関連するそれぞれである複数の時間区間のうちの１つの時間区間内の連続する時間領域リソース上で前記繰り返し上りリンク伝送を行うことであって、前記繰り返し上りリンク伝送は、前記基地局によって動的スケジューリングなしで設定されることと、
前記１つの時間区間の終わりで前記繰り返し上りリンク伝送を終了させることであって、前記繰り返し上りリンク伝送の回数は、前記１つの時間区間の終わりで前記繰り返し回数Ｋに到達しないことと、を有する、端末の動作方法。
【請求項２】
前記端末の動作方法は、さらに、
前記繰り返し上りリンク伝送に対する確認応答情報を得ることを有する、請求項１に記載の端末の動作方法。
【請求項３】
前記繰り返し上りリンク伝送に対する確認応答情報を得ることは、
前記基地局から前記繰り返し上りリンク伝送と関連するＨＡＲＱプロセスＩＤに対応する確認応答情報を受信すると、前記繰り返し上りリンク伝送に対する否定応答（Non-ACKnowledgement；ＮＡＣＫ）を得ることと、
前記基地局から前記繰り返し上りリンク伝送と関連するＨＡＲＱプロセスＩＤに対応する確認応答情報を受信しないと、前記繰り返し上りリンク伝送に対する確認応答（ACKnowledgement；ＡＣＫ）を得ることと、を有する、請求項２に記載の端末の動作方法。
【請求項４】
前記端末の動作方法は、さらに、
前記端末が前記繰り返し上りリンク伝送に対するＮＡＣＫを受信した場合、前記繰り返し上りリンク伝送に対する再伝送を行うことを有する、請求項３に記載の端末の動作方法。
【請求項５】
前記確認応答情報は、
前記端末に対するリソース割り当て（resource allocation）情報として特定の値を指示する情報、及び
現在使用していないＨＡＲＱプロセスを用いたフィードバック情報のうち、いずれか１つ又は両方の組み合わせにより指示される、請求項２に記載の端末の動作方法。
【請求項６】
前記繰り返し上りリンク伝送と関連するＨＡＲＱプロセスＩＤは、前記繰り返し上りリンク伝送のうちの最初の伝送が行われるリソースに基づいて決定される、請求項１に記載の端末の動作方法。
【請求項７】
前記繰り返し上りリンク伝送に対するリダンダンシバージョン（redundancy version）は、前記繰り返し上りリンク伝送に対する各送信オケージョン（transmission occasion）に基づいて決定される、請求項１に記載の端末の動作方法。
【請求項８】
無線通信システムにおいて基地局が端末と通信するのに動作する方法であって、
それぞれのハイブリッド自動再送要求（ＨＡＲＱ）プロセス識別情報（ＩＤ）と関連するそれぞれである複数の時間区間のうちの１つの時間区間内の連続するリソース上で繰り返し上りリンク伝送を受信することであって、前記繰り返し上りリンク伝送は、前記基地局によって動的スケジューリングなしで設定されることを有し、
前記１つの時間区間の終わりまで前記繰り返し上りリンク伝送の受信は行われ、前記繰り返し上りリンク伝送の回数は、前記１つの時間区間の終わりで繰り返し回数Ｋに到達せず、
前記繰り返し上りリンク伝送を行う前記繰り返し回数Ｋは、前記基地局によって設定される、基地局の動作方法。
【請求項９】
前記基地局の動作方法は、さらに、
前記繰り返し上りリンク伝送が成功裏にデコードされたか否かに基づいて、前記端末に関する前記繰り返し上りリンク伝送と関連するＨＡＲＱプロセスＩＤに対応する確認応答情報を伝送するか、又は前記確認応答情報の伝送をドロップするかのいずれかを行うことを有する、請求項８に記載の基地局の動作方法。
【請求項１０】
前記確認応答情報は、前記繰り返し上りリンク伝送に対するＮＡＣＫ（Non-ACKnowledgement）に対応する、請求項９に記載の基地局の動作方法。
【請求項１１】
前記基地局の動作方法は、さらに、
前記基地局が確認応答情報を伝送した場合、前記端末から前記繰り返し上りリンク伝送に対して再伝送された信号を受信することを有する、請求項９に記載の基地局の動作方法。
【請求項１２】
前記基地局の動作方法は、さらに、
前記繰り返し上りリンク伝送が成功裏にデコードされたか否かに基づいて、前記端末にＨＡＲＱプロセスＩＤに対応する確認応答情報を伝送することを有し、
前記確認応答情報は、
前記端末に対するリソース割り当て情報として特定の値を指示する情報、及び
現在使用していないＨＡＲＱプロセスを用いたフィードバック情報のうち、いずれか１つ又は両方の組み合わせにより指示される、請求項８に記載の基地局の動作方法。
【請求項１３】
前記繰り返し上りリンク伝送と関連するＨＡＲＱプロセスＩＤは、前記端末が前記繰り返し上りリンク伝送のうちの最初の伝送を行うリソースに基づいて決定される、請求項８に記載の基地局の動作方法。
【請求項１４】
前記繰り返し上りリンク伝送のうちの最初の伝送が行われるリソースは、
前記１つの時間区間の特定のリソースインデックスに基づいて決定される、請求項８に記載の基地局の動作方法。
【請求項１５】
無線通信システムにおいて基地局と信号を送受信する通信装置であって、
メモリと、
前記メモリと動作可能に接続されるプロセッサと、を有し、
前記プロセッサは、
繰り返し上りリンク伝送を行う繰り返し回数Ｋを決定し、
それぞれのハイブリッド自動再送要求（ＨＡＲＱ）プロセス識別情報（ＩＤ）と関連するそれぞれである複数の時間区間のうちの１つの時間区間内の連続する時間領域リソース上で前記繰り返し上りリンク伝送を行い、前記繰り返し上りリンク伝送は、前記基地局によって動的スケジューリングなしで設定され、
前記１つの時間区間の終わりで前記繰り返し上りリンク伝送を終了し、前記繰り返し上りリンク伝送の回数は、前記１つの時間区間の終わりで前記繰り返し回数Ｋに到達しない、ように構成される、通信装置。
【発明の詳細な説明】
【技術分野】
【０００１】
本発明は、無線通信システムに関し、より詳しくは、無線通信システムにおける端末及び基地局の動作方法並びにそれをサポート（支援）する（supporting）装置に関する。
【０００２】
より具体的には、本発明は、端末と基地局との間の信号送受信において、端末が基地局に上りリンク信号を送信し、これに対するフィードバック情報を受信する構成などの動作方法に適用可能な様々な実施例に関する。
【背景技術】
【０００３】
無線アクセス（接続）システム（wireless access systems）が音声やデータなどの種々の通信サービスを提供するために広範囲に展開されている。一般に、無線アクセスシステムは、使用可能な（可用の）（available）システムリソース（帯域幅、送信電力など）を共有して複数のユーザとの通信をサポートできる多元接続（多重接続）（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【０００４】
なお、多数の通信機器がより大きな通信容量を要求することにより、既存のＲＡＴ（Radio Access Technology）に比べて向上したモバイルブロードバンド通信の必要性が高まっている。また、多数の機器及びモノ（物事）（things）を連結していつでもどこでも多様なサービスを提供する大規模（massive）ＭＴＣ（Machine Type Communications）が次世代通信において考えられている。さらに信頼性及びレイテンシ（遅延）などにセンシティブ（敏感）な（sensitive to reliability and latency）サービス／ＵＥを考慮した通信システムのデザインも考えられている。
【０００５】
このように向上したモバイルブロードバンド通信、大規模ＭＴＣ、ＵＲＬＬＣ（Ultra-Reliable and Low Latency Communication）などを考慮した次世代ＲＡＴの導入が論議されている。
【発明の概要】
【発明が解決しようとする課題】
【０００６】
本発明の目的は、無線通信システムにおける端末及び基地局の動作方法並びにそれをサポートする装置を提供することにある。
【０００７】
特に本発明は、端末に基地局によってグラントのない上りリンクの伝送（送信）（transmission）（例えば、ｇｒａｎｔ−ｆｒｅｅ上りリンクの伝送）が設定された場合、端末及び基地局の動作方法を提供することを目的とする。
【０００８】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００９】
本発明は、無線通信システムにおける端末及び基地局の動作方法並びにそのための装置を提供する。
【００１０】
本発明の一態様では、無線通信システムにおける基地局に対する端末の動作方法であって、基地局によってグラントのない上りリンク伝送が設定された場合、一定周期内に基地局によって設定されたリソースを通じて１回以上上りリンク信号に対する繰り返し伝送を行うことを有し、一定周期内に１回以上繰り返し伝送した上りリンク信号は、いずれも同一のＨＡＲＱ（Hybrid Automatic Repeat reQuest）プロセスＩＤに対応する、端末の動作方法を提案している。
【００１１】
本発明の他の態様では、無線通信システムにおいて基地局と信号を送受信する端末であって、送信部と、受信部と、送信部及び受信部に連結（接続）されて（connected）動作するプロセッサと、を有し、プロセッサは、基地局によってグラントのない上りリンク伝送が設定された場合、一定周期内に基地局によって設定されたリソースを通じて１回以上上りリンク信号に対する繰り返し伝送を行うように構成され、一定周期内に１回以上繰り返し伝送した上りリンク信号は、いずれも同一のＨＡＲＱ（Hybrid Automatic Repeat reQuest）プロセスＩＤに対応するように構成される、端末を提案している。
【００１２】
この構成において、端末に対して繰り返し伝送の回数がＫ回に設定された場合（Ｋは１以上の自然数）、一定周期内に端末がＫ回繰り返し伝送を行ったか或いは一定周期が終了すると、端末の繰り返し伝送が終了する。
【００１３】
端末は、上りリンク信号に対する確認応答情報を得ることができる。
【００１４】
ここで、端末が上りリンク信号に対する確認応答情報を得ることは、端末が、基地局からＨＡＲＱプロセスＩＤに対応する確認応答情報を受信すると、上りリンク信号に対する否定応答（Non-ACKnowledgement；ＮＡＣＫ）を得、基地局からＨＡＲＱプロセスＩＤに対応する確認応答情報を受信しないと、上りリンク信号に対する確認応答（ACKnowledgement；ＡＣＫ）を得ることを有する。
【００１５】
端末が上りリンク信号に対するＮＡＣＫを得た場合、端末は、上りリンク信号に対する再伝送を行うことができる。
【００１６】
また、確認応答情報は、（１）端末に対するリソース割り当て（resource allocation）情報として特定の値を指示する情報、及び（２）現在使用していないＨＡＲＱプロセスを用いたフィードバック情報のうち、いずれか１つ又は両方（複数）の（both）組み合わせにより指示される。
【００１７】
この構成において、ＨＡＲＱプロセスＩＤは、繰り返し伝送のうち、最初の伝送が行われるリソースに基づいて決定される。
【００１８】
また、この構成において、繰り返し伝送される上りリンク信号に対応するリダンダンシ（冗長度）バージョン（redundancy version）は、端末に割り当てられたリソースに基づいて決定されたパターンによって変更可能である。
【００１９】
本発明のさらに他の態様では、無線通信システムにおける端末に対する基地局の動作方法であって、端末に対してグラントのない上りリンク伝送が設定された場合、端末から一定周期内に基地局によって設定されたリソースを通じて１回以上上りリンク信号を受信することを有し、一定周期内に１回以上受信した上りリンク信号は、いずれも同一の第１ＨＡＲＱプロセスＩＤに対応する、基地局の動作方法を提案している。
【００２０】
本発明のさらに他の態様では、無線通信システムにおいて端末と信号を送受信する基地局であって、送信部と、受信部と、送信部及び受信部に連結されて動作するプロセッサと、を有し、プロセッサは、端末に対してグラントのない上りリンク伝送が設定された場合、端末から一定周期内に基地局によって設定されたリソースを通じて１回以上上りリンク信号を受信するように構成され、一定周期内に１回以上受信した上りリンク信号は、いずれも同一の第１ＨＡＲＱプロセスＩＤに対応するように構成される、基地局を提案している。
【００２１】
この構成において、端末に対して繰り返し伝送の回数がＫ回に設定された場合（Ｋは１以上の自然数）、基地局は、一定周期内に端末の繰り返し伝送方法によって端末から１回以上、Ｋ回以下、上りリンク信号を受信することができる。
【００２２】
また、基地局は、受信した上りリンク信号がデコードされたか否かによって端末へのＨＡＲＱプロセスＩＤに対応する確認応答情報の伝送又は伝送放棄のうちのいずれか１つを行う。ここで、確認応答情報は、上りリンク信号に対するＮＡＣＫ（Non-ACKnowledgement）に対応する。
【００２３】
基地局が確認応答情報を伝送した場合、基地局は、端末から上りリンク信号に対して再伝送された信号を受信することができる。
【００２４】
基地局は、受信した上りリンク信号がデコードされたか否かによって端末へのＨＡＲＱプロセスＩＤに対応する確認応答情報を伝送することができる。このとき、確認応答情報は、（１）端末に対するリソース割り当て情報として特定の値を指示する情報、及び（２）現在使用していないＨＡＲＱプロセスを用いたフィードバック情報のうち、いずれか１つ又は両方の組み合わせにより指示される。
【００２５】
この構成において、ＨＡＲＱプロセスＩＤは、端末の繰り返し伝送のうち、最初の伝送が行われるリソースに基づいて決定される。
【００２６】
このとき、最初の伝送が行われるリソースは、最初の伝送の受信又は繰り返し伝送が含まれた区間の特定のリソースインデックスに基づいて決定される。
【００２７】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２８】
本発明の実施例によれば、次のような効果がある。
【００２９】
本発明によれば、端末及び基地局は、ｇｒａｎｔ−ｆｒｅｅ信号伝送に対するＨＡＲＱプロセスＩＤを互いに認知できる。
【００３０】
これにより、端末及び基地局は、ｇｒａｎｔ−ｆｒｅｅ信号の伝送に対するフィードバックの解釈において、ミスマッチする状況を予め防止することができる。
【００３１】
さらに、本発明によれば、端末の同一のＴＢ（Transmission Block）に対する単一又は繰り返し伝送を行う場合に、提案した方法を用いて効果的なＨＡＲＱの組み合わせが可能であり、これにより伝送フィードバックに対するシグナリングオーバーヘッドを減らすことができる。特に、端末がコンテンション（競争）ベース（基盤）の（contention-based）上りリンクリソースを使用してｇｒａｎｔ−ｆｒｅｅ上りリンク伝送を行う場合、本発明の構成によれば、端末間の衝突の可能性が低くなる。
【００３２】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図しない効果も、本発明の実施例から当該技術の分野における通常の知識を有する者によって導出され得る。
【図面の簡単な説明】
【００３３】
【図１】物理チャネル及びそれらを用いた信号送信方法を説明する図である。
【図２】無線フレームの構造の一例を示す図である。
【図３】下りリンクスロットに対するリソースグリッド（resource grid）を例示する図である。
【図４】上りリンクサブフレームの構造の一例を示す図である。
【図５】下りリンクサブフレームの構造の一例を示す図である。
【図６】本発明に適用可能なセルフサブフレームの構造（Self-Contained subframe structure）を示す図である。
【図７】ＴＸＲＵとアンテナ要素との代表的な連結方式を示す図である。
【図８】ＴＸＲＵとアンテナ要素との代表的な連結方式を示す図である。
【図９】本発明の一例によるＴＸＲＵ及び物理アンテナ（物理的アンテナ）の観点におけるハイブリッドビームフォーミング（形成）（beamforming）の構造を簡単に示す図である。
【図１０】本発明の一例による下りリンク（Downlink、ＤＬ）の伝送過程において、同期信号（Synchronization signal）及びシステム情報（System information）に対するビームスウィーピング（掃引）（Beam sweeping）動作を簡単に示す図である。
【図１１】本発明の一例によるＨＡＲＱ  Ｐｒｏｃｅｓｓ  ＩＤ（又はＨＡＲＱ  Ｐｒｏｃｅｓｓ  Ｎｕｍｂｅｒ）と周期的に割り当てられたリソースとの関係を示す図である。
【図１２】本発明の一例によるＨＡＲＱ  Ｐｒｏｃｅｓｓ  ＩＤ（又はＨＡＲＱ  Ｐｒｏｃｅｓｓ  Ｎｕｍｂｅｒ）と周期的に割り当てられたリソースとの関係を示す図である。
【図１３】本発明の一例によって、繰り返し伝送回数（number of repetition）によってリソースが割り当てられることを例示する図である。
【図１４】初期伝送を含む３つの繰り返し伝送が設定された場合のリソース割り当ての例を簡単に示す図である。
【図１５】初期伝送を含む３つの繰り返し伝送が設定された場合のリソース割り当ての例を簡単に示す図である。
【図１６】初期伝送を含む３つの繰り返し伝送が設定された場合のリソース割り当ての例を簡単に示す図である。
【図１７】端末が２つのＴＢ（ＴＢ１，ＴＢ２）を連続して伝送する動作を簡単に示す図である。
【図１８】端末が２つのＴＢ（ＴＢ１，ＴＢ２）を連続して伝送する動作を簡単に示す図である。
【図１９】本発明に適用可能な初期伝送及び繰り返し伝送に対して適用可能なＣＳ  ｇａｐを簡単に示す図である。
【図２０】本発明に適用可能な初期伝送及び繰り返し伝送に対して適用可能なＣＳ  ｇａｐを簡単に示す図である。
【図２１】本発明の一例による端末及び基地局の動作例を簡単に示す図である。
【図２２】提案する実施例が具現される端末及び基地局の構成を示す図である。
【発明を実施するための形態】
【００３４】
以下に添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（reference numerals）は構造的構成要素（structural elements）を意味する。
【００３５】
以下の実施例は、本発明の構成要素及び特徴を所定の形態で結合し（組み合わせ）たもの（combinations）である。各構成要素又は特徴は、別の明示的言及がない限り、選択的なものとして考慮することができる。各構成要素又は特徴は、別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に置き換え（取り替え）られて（replaced）もよい。
【００３６】
図面に関する説明において、本発明の要旨を曖昧にさせ得る手順又は段階などは記述を省略し、当業者のレベルで理解可能な程度の手順又は段階も記述を省略する。
【００３７】
明細書全体を通じて、ある部分がある構成要素を「含む（comprising又はincluding）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現することができる。また、「ある（a又はan）」、「１つ（one）」、「その（the）」及び類似の関連語は、本発明を記述する文脈において（特に、添付の請求項の文脈において）本明細書に別に指示されたり文脈によって明らかに反駁されない限り、単数及び複数の両方を含む意味で使うことができる。
【００３８】
本明細書において、本発明の実施例は、基地局と移動局との間のデータ送受信関係を中心に説明される。ここで、基地局は、移動局と通信を直接行うネットワークの終端ノード（terminal node）としての意味を有する。本文書において、基地局によって行われるとされている特定の動作は、場合によっては、基地局の上位ノード（upper node）によって行われてもよい。
【００３９】
すなわち、基地局を含む複数のネットワークノード（network node）からなるネットワークにおいて、移動局との通信のために行われる様々な動作は、基地局、又は基地局以外の他のネットワークノードで行うことができる。このとき、「基地局」は、固定局（fixed station）、Ｎｏｄｅ  Ｂ、ｅＮｏｄｅ  Ｂ（ｅＮＢ）、ｇＮｏｄｅ  Ｂ（ｇＮＢ）、高度（発展した）基地局（ＡＢＳ：Advanced Base Station）又はアクセスポイント（access point）などの用語に言い換えることができる。
【００４０】
また、本発明の実施例において、端末（Terminal）は、ユーザ機器（ＵＥ：User Equipment）、移動局（ＭＳ：Mobile Station）、加入者端末（ＳＳ：Subscriber Station）、移動加入者端末（ＭＳＳ：Mobile Subscriber Station）、移動端末（Mobile Terminal）、又は高度（発展した）移動局（移動端末）（ＡＭＳ：Advanced Mobile Station）などの用語に言い換えることができる。
【００４１】
また、送信端は、データサービス又は音声サービスを提供する固定及び／又は移動ノードを意味し、受信端は、データサービス又は音声サービスを受信する固定及び／又は移動ノードを意味する。したがって、上りリンクでは、移動局を送信端にし、基地局を受信端にすることができる。同様に、下りリンクでは、移動局を受信端にし、基地局を送信端にすることができる。
【００４２】
本発明の実施例は、無線アクセスシステムであるＩＥＥＥ  ８０２．ｘｘシステム、３ＧＰＰ（3rd Generation Partnership Project）システム、３ＧＰＰ  ＬＴＥシステム及び３ＧＰＰ  ５Ｇ  ＮＲシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、３ＧＰＰ  ＴＳ  ３６．３３１、３ＧＰＰ  ＴＳ  ３８．２１１、３ＧＰＰ  ＴＳ  ３８．２１２、３ＧＰＰ  ＴＳ  ３８．２１３、３ＧＰＰ  ＴＳ  ３８．３２１及び３ＧＰＰ  ＴＳ  ３８．３３１の文書によってサポートすることができる。すなわち、本発明の実施例のうち、説明しない自明な段階又は部分は、上記文書を参照して説明することができる。また、本文書に開示されている用語は、いずれも上記標準文書によって説明することができる。
【００４３】
以下、本発明に係る好適な実施形態を添付の図面を参照して詳しく説明する。添付の図面と共に以下に開示する詳細な説明は、本発明の例示的な実施形態を説明するためのものであり、本発明が実施され得る唯一の実施形態を表すことを意図するものではない。
【００４４】
また、本発明の実施例で使われる特定の用語は本発明の理解し易さのために提供されるものであり、このような特定の用語の使用は、本発明の技術的思想を逸脱しない範囲で他の形態に変更されてもよい。
【００４５】
例えば、送信機会区間（ＴｘＯＰ：Transmission Opportunity Period）という用語は、送信区間、送信バースト（Tx burst）又はＲＲＰ（Reserved Resource Period）という用語と同じ意味で使うことができる。また、ＬＢＴ（Listen Before Talk）過程は、チャネル状態がアイドル（遊休）（idle）であるか否かを判断するためのキャリアセンシング過程、ＣＣＡ（Clear Channel Assessment）、チャネル接続（アクセス）過程（手順）（ＣＡＰ：Channel Access Procedure）と同じ目的で行うことができる。
【００４６】
以下では、本発明の実施例を利用可能な無線アクセスシステムの一例として３ＧＰＰ  ＬＴＥ／ＬＴＥ−Ａシステムについて説明する。
【００４７】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセスシステムに適用することができる。
【００４８】
ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM（登録商標） Evolution）などの無線技術によって具現することができる。ＯＦＤＭＡは、ＩＥＥＥ  ８０２．１１（Ｗｉ−Ｆｉ（登録商標））、ＩＥＥＥ  ８０２．１６（ＷｉＭＡＸ）、ＩＥＥＥ  ８０２−２０、Ｅ−ＵＴＲＡ（Evolved UTRA）などの無線技術によって具現することができる。
【００４９】
ＵＴＲＡは、ＵＭＴＳ（Universal Mobile Telecommunications System）の一部である。３ＧＰＰ  ＬＴＥ（Long Term Evolution）は、Ｅ−ＵＴＲＡを用いるＥ−ＵＭＴＳ（Evolved UMTS）の一部であり、下りリンクでＯＦＤＭＡを採用し、上りリンクでＳＣ−ＦＤＭＡを採用する。ＬＴＥ−Ａ（Advanced）システムは、３ＧＰＰ  ＬＴＥシステムを改良したシステムである。本発明の技術的特徴に関する説明を明確にするために、本発明の実施例は、３ＧＰＰ  ＬＴＥ／ＬＴＥ−Ａシステムを中心に述べられるが、ＩＥＥＥ  ８０２．１６ｅ／ｍシステムなどに適用されてもよい。
【００５０】
１．  ３ＧＰＰ  ＬＴＥ／ＬＴＥ  Ａ  システム
【００５１】
１．１．物理チャネル及びこれを用いた信号送受信方法
【００５２】
無線アクセスシステムにおいて、端末は、下りリンク（ＤＬ：Downlink）で基地局から情報を受信し、上りリンク（ＵＬ：Uplink）で基地局に情報を送信する。基地局と端末とが送受信する情報は一般データ情報及び種々の制御情報を含み、基地局と端末とが送受信する情報の種類／用途によって様々な物理チャネルが存在する。
【００５３】
図１は、本発明の実施例で使用可能な物理チャネル及びそれらを用いた信号送信方法を説明する図である。
【００５４】
電源が消えた状態で電源がついたり、新しくセルに進入したりした端末は、Ｓ１１段階で、基地局と同期を取るなどの初期セルサーチ（探索）（Initial cell search）作業を行う。そのために、端末は、基地局からプライマリ同期チャネル（Ｐ−ＳＣＨ：Primary Synchronization Channel）及びセカンダリ同期チャネル（Ｓ−ＳＣＨ：Secondary Synchronization Channel）を受信して基地局と同期を取り、セルＩＤなどの情報を取得する。
【００５５】
その後、端末は、基地局から物理ブロードキャスト（放送）チャネル（ＰＢＣＨ：Physical Broadcast Channel）信号を受信してセル内ブロードキャスト（放送）情報を取得することができる。
【００５６】
一方、端末は、初期セルサーチ段階で下りリンク参照信号（ＤＬ  ＲＳ：Downlink Reference Signal）を受信して下りリンクチャネル状態を確認することができる。
【００５７】
初期セルサーチを終えた端末は、Ｓ１２段階で、物理下りリンク制御チャネル（ＰＤＣＣＨ：Physical Downlink Control Channel）、及び物理下りリンク制御チャネル情報に対応する物理下りリンク共有チャネル（ＰＤＳＣＨ：Physical Downlink Control Channel）を受信して、より具体的なシステム情報を取得することができる。
【００５８】
その後、端末は、基地局への接続を完了するために、段階Ｓ１３〜段階Ｓ１６のようなランダムアクセス過程（Random Access Procedure）を行うことができる。そのために、端末は、物理ランダムアクセスチャネル（ＰＲＡＣＨ：Physical Random Access Channel）でプリアンブル（preamble）を送信し（Ｓ１３）、物理下りリンク制御チャネル及びそれに対応する物理下りリンク共有チャネルでプリアンブルに対する応答メッセージを受信することができる（Ｓ１４）。コンテンション（競合）（contention）ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Contention Resolution Procedure）を行うことができる。
【００５９】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Physical Uplink Shared Channel）信号及び／又は物理上りリンク制御チャネル（ＰＵＣＣＨ：Physical Uplink Control Channel）信号の送信（Ｓ１８）を行うことができる。
【００６０】
端末が基地局に送信する制御情報を総称して上りリンク制御情報（ＵＣＩ：Uplink Control Information）という。ＵＣＩは、ＨＡＲＱ−ＡＣＫ／ＮＡＣＫ（Hybrid Automatic Repeat and reQuest Acknowledgement/Negative-ACK）、ＳＲ（Scheduling Request）、ＣＱＩ（Channel Quality Indication）、ＰＭＩ（Precoding Matrix Indication）、ＲＩ（Rank Indication）情報などを含む。
【００６１】
ＬＴＥシステムにおいて、ＵＣＩは、一般にＰＵＣＣＨで周期的に送信されるが、制御情報とトラフィックデータとが同時に送信されるべき場合にはＰＵＳＣＨで送信されてもよい。また、ネットワークの要求／指示によってＰＵＳＣＨでＵＣＩを非周期的に送信することもできる。
【００６２】
１．２．リソースの構造
【００６３】
図２は、本発明の実施例で用いられる無線フレームの構造を示す図である。
【００６４】
図２（ａ）には、タイプ１フレーム構造（frame structure type1）を示す。タイプ１フレーム構造は、全二重（full duplex）ＦＤＤ（Frequency Division Duplex）システムにも半二重（half duplex）ＦＤＤシステムにも適用可能である。
【００６５】
１つの無線フレーム（radio frame）は、Ｔf＝３０７２００＊Ｔs＝１０ｍｓの長さを有するものであり、Ｔslot＝１５３６０＊Ｔｓ＝０．５ｍｓの均等な長さを有し、０〜１９のインデックスが与えられた２０個のスロットで構成される。１つのサブフレームは２個の連続したスロットで定義され、ｉ番目のサブフレームは、２ｉ及び２ｉ＋１に該当するスロットで構成される。すなわち、無線フレーム（radio frame）は、１０個のサブフレーム（subframe）で構成される。１サブフレームを送信するためにかかる時間をＴＴＩ（Transmission Time Interval）という。ここで、Ｔsはサンプリング時間を表し、Ｔs＝１／（１５ｋＨｚ×２０４８）＝３．２５５２×１０-8（約３３ｎｓ）と表される。スロットは、時間領域において複数のＯＦＤＭシンボル又はＳＣ−ＦＤＭＡシンボルを含み、周波数領域において複数のリソースブロック（Resource Block）を含む。
【００６６】
１つのスロットは、時間領域において複数のＯＦＤＭ（Orthogonal Frequency Division Multiplexing）シンボルを含む。３ＧＰＰ  ＬＴＥは下りリンクにおいてＯＦＤＭＡを用いるので、ＯＦＤＭシンボルは、１シンボル区間（symbol period）を表現するためのものである。ＯＦＤＭシンボルは、１つのＳＣ−ＦＤＭＡシンボル又はシンボル区間ということができる。リソースブロック（resource block）は、リソース割り当て単位であり、１つのスロットで複数の連続した副搬送波（subcarrier）を含む。
【００６７】
全二重ＦＤＤシステムでは、各１０ｍｓ区間において１０個のサブフレームを下りリンク送信及び上りリンク送信のために同時に利用することができる。このとき、上りリンク送信と下りリンク送信とは、周波数領域において分離される。これに対し、半二重ＦＤＤシステムでは、端末が送信と受信とを同時に行うことができない。
【００６８】
上述した無線フレームの構造は１つの例に過ぎず、無線フレームに含まれるサブフレームの数、サブフレームに含まれるスロットの数、又はスロットに含まれるＯＦＤＭシンボルの数は様々に変更されてもよい。
【００６９】
図２（ｂ）には、タイプ２フレーム構造（frame structure type2）を示す。タイプ２フレーム構造は、ＴＤＤシステムに適用される。１つの無線フレーム（radio frame）は、Ｔf＝３０７２００＊Ｔｓ＝１０ｍｓの長さを有し、１５３６００＊Ｔｓ＝５ｍｓの長さを有する２個のハーフフレーム（half-frame）で構成される。各ハーフフレームは、３０７２０＊Ｔs＝１ｍｓの長さを有する５個のサブフレームで構成される。ｉ番目のサブフレームは、２ｉ及び２ｉ＋１に該当する各Ｔslot＝１５３６０＊Ｔｓ＝０．５ｍｓの長さを有する２個のスロットで構成される。ここで、Ｔsはサンプリング時間を表し、Ｔs＝１／（１５ｋＨｚ×２０４８）＝３．２５５２×１０-8（約３３ｎｓ）と表される。
【００７０】
タイプ２フレームには、ＤｗＰＴＳ（Downlink Pilot Time Slot）、ガード（保護）区間（ＧＰ：Guard Period）、ＵｐＰＴＳ（Uplink Pilot Time Slot）の３つのフィールドで構成されるスペシャル（特別）サブフレーム（special subframe）を含む。ここで、ＤｗＰＴＳは、端末における初期セルサーチ、同期化又はチャネル推定に用いられる。ＵｐＰＴＳは、基地局におけるチャネル推定と端末との上り伝送同期化とに用いられる。ガード区間は、上りリンクと下りリンクとの間の、下りリンク信号のマルチパス（多重経路）遅延による上りリンクにおける干渉（UL interference between a UL and a DL, caused by the multi-path delay of a DL signal）を除去するための区間である。
【００７１】
次の表１は、スペシャル（特別）フレーム（special subframe）（スペシャルサブフレーム）の構成（ＤｗＰＴＳ／ＧＰ／ＵｐＰＴＳの長さ）を表す。
【００７２】
＜表１＞
【表１】
2020127242.tif 000003
【００７３】
またＬＴＥ  Ｒｅｌ−１３システムにおいては、スペシャルフレームの構成（ＤｗＰＴＳ／ＧＰ／ＵｐＰＴＳの長さ）が下記の表のようにＸ（追加的なＳＣ−ＦＤＭＡのシンボルの数、上位層（上位階層）（higher layer）パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおけるノーマル（一般）ＣＰ（normal cyclic prefix）のためのＳｐｅｃｉａｌ  ｓｕｂｆｒａｍｅ  ｃｏｎｆｉｇｕｒａｔｉｏｎｓ｛３，４，７，８｝及び下りリンクにおける拡張（拡張された）ＣＰ（extended cyclic prefix）のためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおけるノーマルＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張ＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（The UE is not expected to be configured with 2 additional UpPTS SC-FDMA symbols for special subframe configurations｛3,4,7,8｝ for normal cyclic prefix in downlink and special subframe configurations｛2,3,5,6｝ for extended cyclic prefix in downlink and 4 additional UpPTS SC-FDMA symbols for special subframe configurations｛1,2,3,4,6,7,8｝ for normal cyclic prefix in downlink and special subframe configurations｛1,2,3,5,6｝ for extended cyclic prefix in downlink）
【００７４】
＜表２＞
【表２】
2020127242.tif 000004
【００７５】
図３は、本発明の実施例で利用可能な下りリンクスロットに対するリソースグリッド（resource grid）を例示する図である。
【００７６】
図３を参照すると、１つの下りリンクスロットは、時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００７７】
リソースグリッド上で各要素（element）をリソース要素（resource element）といい、１つのリソースブロックは１２×７個のリソース要素を含む。下りリンクスロットに含まれるリソースブロックの数ＮDLは、下りリンク送信帯域幅（bandwidth）に従属する。上りリンクスロットの構造は下りリンクスロットの構造と同一であってよい。
【００７８】
図４には、本発明の実施例で利用可能な上りリンクサブフレームの構造を示す。
【００７９】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために、１つの端末はＰＵＣＣＨとＰＵＳＣＨとを同時に送信しない。１つの端末に対するＰＵＣＣＨには、サブフレーム内にＲＢ対が割り当てられる。ＲＢ対に属するＲＢは、２個のスロットのそれぞれにおいて異なる副搬送波を占める。このようなＰＵＣＣＨに割り当てられたＲＢ対は、スロット境界（slot boundary）で周波数ホッピング（跳躍）（frequency hopping）する、という。
【００８０】
図５は、本発明の実施例で利用可能な下りリンクサブフレームの構造を示す図である。
【００８１】
図５を参照すると、サブフレームにおける１番目のスロットにおいてＯＦＤＭシンボルインデックス０から最大で３個までのＯＦＤＭシンボルは、制御チャネルが割り当てられる制御領域（control region）であり、残りのＯＦＤＭシンボルは、ＰＤＳＣＨが割り当てられるデータ領域（data region）である。３ＧＰＰ  ＬＴＥで用いられる下りリンク制御チャネルの例には、ＰＣＦＩＣＨ（Physical Control Format Indicator Channel）、ＰＤＣＣＨ、ＰＨＩＣＨ（Physical Hybrid-ARQ Indicator Channel）などがある。
【００８２】
ＰＣＦＩＣＨは、サブフレームの１番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Hybrid Automatic Repeat Request）に対するＡＣＫ（Acknowledgement）／ＮＡＣＫ（Negative-Acknowledgement）信号を搬送する。ＰＤＣＣＨで送信される制御情報を下りリンク制御情報（ＤＣＩ：Downlink Control Information）という。下りリンク制御情報は、上りリンクリソース割り当て情報、下りリンクリソース割り当て情報、又は任意の端末グループに対する上りリンク送信（Ｔｘ）電力制御命令を含む。
【００８３】
２．新しい無線アクセス（接続）技術（New Radio Access Technology）システム
【００８４】
多数の通信機器がより大きな通信容量を要求することにより、既存の無線アクセス技術（Radio Access Technology、ＲＡＴ）に比べて向上した端末広帯域（Mobile Broadband）通信の必要性が高まっている。また多数の機器及びモノ（物事）（things）を連結していつでもどこでも多様なサービスを提供する大規模（massive）ＭＴＣ（Machine Type Communications）も必要となっている。さらに信頼性及び遅延などにセンシティブなサービス／ＵＥを考慮した通信システムのデザインが提示されている。
【００８５】
このように向上した端末広帯域通信（Enhanced mobile broadband communication）、大規模ＭＴＣ、ＵＲＬＬＣ（Ultra-Reliable and Low Latency Communication）などを考慮した新しい無線アクセス技術であって、新しい無線アクセス技術システムが提案されている。以下、本発明では、便宜上、該当技術をＮｅｗ  ＲＡＴ又はＮＲ（New Radio）と称する。
【００８６】
２．１．ニューマロロジ（Numeriologies）
【００８７】
本発明が適用可能なＮＲシステムにおいては、以下の表のような様々なＯＦＤＭニューマロロジがサポートされている。このとき、搬送波帯域幅部分（carrier bandwidth part）ごとのμ及びサイクリックプリフィックス（循環前置）（cyclic prefix）情報は、下りリンク（ＤＬ）又は上りリンク（ＵＬ）ごとに各々シグナリングされる。一例として、下りリンク搬送波帯域幅部分（downlink carrier bandwidth part）のためのμ及びサイクリックプリフィックス（cyclic prefix）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（uplink carrier bandwidth part）のためのμ及びサイクリックプリフィックス（cyclic prefix）情報は、上位層シグナリングＵＬ−ＢＷＰ−ｍｕ及びＵＬ−ＭＷＰ−ｃｐを通じてシグナリングされる。
【００８８】
＜表３＞
【表３】
2020127242.tif 000005
【００８９】
２．２．フレーム構造
【００９０】
下りリンク及び上りリンクの伝送は、１０ｍｓの長さのフレームで構成される。フレームは、１ｍｓの長さの１０個のサブフレームで構成される。このとき、各々のサブフレームごとに連続するＯＦＤＭのシンボルの数は、
2020127242.tif 000006
である。
【００９１】
各々のフレームは、２つの同じサイズのハーフフレーム（half-frame）で構成される。このとき、各々のハーフフレームは、サブフレーム０−４及びサブフレーム５−９で構成される。
【００９２】
副搬送波間隔（subcarrier spacing）μに対して、スロットは、１つのサブフレーム内において昇順に
2020127242.tif 000007
のようにナンバリングされ、１つのフレーム内において昇順に
2020127242.tif 000008
のようにナンバリングされる。このとき、１つのスロット内で連続するＯＦＤＭのシンボルの数
2020127242.tif 000009
は、サイクリックプリフィックスによって以下の表のように決定される。１つのサブフレーム内の開始スロット
2020127242.tif 000010
は、同じサブフレーム内の開始ＯＦＤＭシンボル
2020127242.tif 000011
及び時間の次元で整列される（aligned）。以下の表４は、ノーマルサイクリックプリフィックス（normal cyclic prefix）のためのスロットごと／フレームごと／サブフレームごとのＯＦＤＭのシンボルの数を示し、表５は、拡張サイクリックプリフィックス（extended cyclic prefix）のためのスロットごと／フレームごと／サブフレームごとのＯＦＤＭのシンボルの数を示す。
【００９３】
＜表４＞
【表４】
2020127242.tif 000012
【００９４】
＜表５＞
【表５】
2020127242.tif 000013
【００９５】
本発明が適用可能なＮＲシステムにおいては、上記のようなスロット構造であって、セルフスロット構造（Self-Contained subframe structure）が適用されている。
【００９６】
図６は、本発明に適用可能なセルフサブフレーム構造（Self-Contained subframe structure）を示す図である。
【００９７】
図６において、斜線領域（例えば、ｓｙｍｂｏｌ  ｉｎｄｅｘ＝０）は下りリンク制御（downlink control）領域を示し、黒色領域（例えば、ｓｙｍｂｏｌ  ｉｎｄｅｘ＝１３）は上りリンク制御（uplink control）領域を示す。その他の領域（例えば、ｓｙｍｂｏｌ  ｉｎｄｅｘ＝１〜１２）は下りリンクデータ伝送又は上りリンクデータ伝送のために使用される。
【００９８】
このような構造により基地局及びＵＥは、１つのスロット内でＤＬ伝送及びＵＬ伝送を順次行うことができ、１つのスロット内でＤＬデータを送受信し、これに対するＵＬ  ＡＣＫ／ＮＡＣＫも送受信することができる。結果として、この構造では、データ伝送エラーの発生時にデータの再伝送までにかかる時間を短縮させることにより、最終データ伝達の遅延を最小にすることができる。
【００９９】
このようなセルフスロット構造においては、基地局及びＵＥが送信モードから受信モードに、又は受信モードから送信モードに転換するために一定の時間の長さのタイムギャップ（time gap）が必要である。このために、セルフスロット構造においてＤＬからＵＬに転換される時点の一部ＯＦＤＭシンボルは、ガード区間（Guard Period、ＧＰ）として設定されることができる。
【０１００】
以上では、セルフスロット構造がＤＬ制御領域及びＵＬ制御領域を全て含む場合を説明したが、制御領域は、セルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１０１】
一例として、スロットは、様々なスロットフォーマットを有することができる。このとき、各々のスロットのＯＦＤＭシンボルは、下りリンク（‘Ｄ’と表す）、フレキシブル（‘Ｘ’と表す）及び上りリンク（‘Ｕ’と表す）に分類される。
【０１０２】
したがって、下りリンクスロットにおいて、ＵＥは、下りリンク伝送が‘Ｄ’及び‘Ｘ’シンボルでのみ発生すると仮定できる。同様に、上りリンクスロットにおいて、ＵＥは、上りリンク伝送が‘Ｕ’及び‘Ｘ’シンボルでのみ発生すると仮定できる。
【０１０３】
２．３．アナログビームフォーミング（形成）（Analog Beamforming）
【０１０４】
ミリ波（Millimeter Wave、ｍｍＷ）では、波長が短いので、同一面積に多数の（複数の、a plurality of）アンテナ要素（element）の設置が可能である。即ち、３０ＧＨｚ帯域において、波長は１ｃｍであるので、５＊５ｃｍのパネルに０．５ｌａｍｂｄａ（波長）間隔で２次元（2-dimension）配列する場合、合計（総）（total of）１００個のアンテナ要素を設けることができる。これにより、ミリ波（ｍｍＷ）では、多数のアンテナ要素を使用してビームフォーミング（Beamforming、ＢＦ）利得を上げてカバレッジを増加させるか、或いはスループット（throughput）を向上させることができる。
【０１０５】
このとき、アンテナ要素ごとに伝送パワー及び位相の調節ができるように、各々のアンテナ要素は、ＴＸＲＵ（Transceiver）を含む。これにより、各々のアンテナ要素は、周波数リソースごとに独立したビームフォーミングを行うことができる。
【０１０６】
しかし、１００余個の全てのアンテナ要素にＴＸＲＵを設けることは、費用（コスト）面で実効性が乏しい。したがって、１つのＴＸＲＵに多数のアンテナ要素をマッピングし、アナログ位相シフタ（analog phase shifter）でビーム方向を調節する方式が考えられている。かかるアナログビームフォーミング方式では、全帯域において１つのビーム方向しか形成できないので、周波数選択的なビームフォーミングが難しいという短所がある。
【０１０７】
これを解決するために、デジタルビームフォーミング及びアナログビームフォーミングの中間形態として、Ｑ個のアンテナ要素より少ない数のＢ個のＴＸＲＵを有するハイブリッドビームフォーミング（hybrid BF）が考えられる。この場合、Ｂ個のＴＸＲＵとＱ個のアンテナ要素との連結方式によって差はあるが、同時に伝送可能なビームの方向はＢ個以下に制限される。
【０１０８】
図７及び図８は、ＴＸＲＵとアンテナ要素（element）との代表的な連結方式を示す図である。ここで、ＴＸＲＵ仮想化（virtualization）モデルは、ＴＸＲＵの出力信号とアンテナ要素の出力信号との関係を示す。
【０１０９】
図７は、ＴＸＲＵが部分配列（サブアレイ）（sub-array）に連結された方式を示している。図７の場合、アンテナ要素は１つのＴＸＲＵのみに連結される。
【０１１０】
反面、図８は、ＴＸＲＵが全てのアンテナ要素に連結された方式を示している。図８の場合、アンテナ要素は全てのＴＸＲＵに連結される。このとき、アンテナ要素が全てのＴＸＲＵに連結されるためには、図８に示したように、別の加算器が必要である。
【０１１１】
図７及び図８において、Ｗは、アナログ位相シフタ（analog phase shifter）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは、１：１又は１：多である。
【０１１２】
図７の構成によれば、ビームフォーミングのフォーカシング（収束）が難しいという短所があるが、全てのアンテナ構成を低価で構成できるという長所がある。
【０１１３】
図８の構成によれば、ビームフォーミングのフォーカシングが容易であるという長所がある。但し、全てのアンテナ要素にＴＸＲＵが連結されるので、全体の費用が増加するという短所がある。
【０１１４】
本発明が適用可能なＮＲシステムにおいて、複数のアンテナが使用される場合、デジタルビームフォーミング（Digital beamforming）とアナログビームフォーミングとを結合したハイブリッドビームフォーミング（hybrid beamforming）方式が適用される。このとき、アナログビームフォーミング（又はＲＦ（Radio Frequency）ビームフォーミング）は、ＲＦ端でプリコーディング（又は組み合わせ（combining））を行う動作を意味する。またハイブリッドビームフォーミングにおいて、ベースバンド（baseband）端及びＲＦ端は各々プリコーティング（又は組み合わせ）を行う。これによりＲＦチェーンの数とＤ／Ａ（Digital to Analog）（又はＡ／Ｄ（Analog to Digital））コンバータの数とを減らしながらデジタルビームフォーミングと同様の（に近接する）（similar to）性能を得られるという長所がある。
【０１１５】
説明の便宜上、ハイブリッドビームフォーミングの構造は、Ｎ個の送受信端（Transceiver Unit、ＴＸＲＵ）及びＭ個の物理アンテナで表すことができる。このとき、送信端から伝送するＬ個のデータ層（データ階層）（digital layer）に対するデジタルビームフォーミングは、Ｎ＊Ｌ（N by L）行列で表される。その後、変換されたＮ個のデジタル信号は、ＴＸＲＵを介してアナログ信号に変換され、変換された信号に対してＭ＊Ｎ（M by N）行列で表されるアナログビームフォーミングが適用される。
【０１１６】
図９は、本発明の一例によるＴＸＲＵ及び物理アンテナの観点におけるハイブリッドビームフォーミングの構造を簡単に示す図である。このとき、図９においてデジタルビームの数はＬ個であり、アナログビームの数はＮ個である。
【０１１７】
さらに、本発明が適用可能なＮＲシステムにおいては、基地局がアナログビームフォーミングをシンボル単位で変更できるように設計して、所定の地域に位置する端末に効率的なビームフォーミングをサポートする方法が考えられる。さらに、図９に示したように、所定のＮ個のＴＸＲＵとＭ個のＲＦアンテナとを１つのアンテナパネルに定義した時、本発明によるＮＲシステムにおいては、互いに独立したハイブリッドビームフォーミングが適用可能な複数のアンテナパネルを導入する方法（方案）（method）も考えられる。
【０１１８】
以上のように基地局が複数のアナログビームを活用する場合、端末ごとに信号の受信に有利なアナログビームが異なる。よって、本発明が適用可能なＮＲシステムにおいては、基地局が所定のサブフレーム（ＳＦ）内でシンボルごとに異なるアナログビームを適用して（少なくとも同期信号、システム情報、ページング（paging）など）信号を伝送することにより、全ての端末が受信機会を得るようにするビームスウィーピング（beam sweeping）動作が考えられている。
【０１１９】
図１０は、本発明の一例による下りリンク（Downlink、ＤＬ）伝送過程において、同期信号（Synchronization signal）及びシステム情報（System information）に対するビームスウィーピング（Beam sweeping）動作を簡単に示す図である。
【０１２０】
図１０において、本発明が適用可能なＮＲシステムのシステム情報がブロードキャスト（Broadcasting）方式で伝送される物理リソース（物理的リソース）（又は物理チャネル）を、ｘＰＢＣＨ（Physical Broadcast Channel）と称する。このとき、１つのシンボル内で互いに異なるアンテナパネルに属する複数のアナログビームは、同時に伝送可能である。
【０１２１】
また、図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Reference Signal、ＲＳ）であるビーム参照信号（Beam RS、ＢＲＳ）の導入が論議されている。ＢＲＳは複数のアンテナポットに対して定義され、ＢＲＳの各々のアンテナポットは単一のアナログビームに対応する。このとき、ＢＲＳとは異なり、同期信号又はｘＰＢＣＨは、任意の端末がよく受信するようにアナログビームのグループ内の全てのアナログビームが適用されて伝送される。
【０１２２】
３．提案する実施例
【０１２３】
以下、上記のような技術的思想に基づいて、本発明が提案する構成について詳しく説明する。
【０１２４】
本発明が適用可能な無線通信システムにおいては、端末が基地局のスケジューリングなしで（無しに）（without）（grant-free）上りリンクの信号伝送を行うことができる。以下、説明を統一するために、基地局によるスケジューリングがなくても実行できる上りリンクの信号伝送をｇｒａｎｔ−ｆｒｅｅ上りリンク信号伝送と呼ぶ。
【０１２５】
本発明が適用可能なＮＲシステムにおいて、ｇｒａｎｔ−ｆｒｅｅ上りリンク信号伝送に対するスケジューリング方法は、以下の２つのタイプがある。
【０１２６】
−Ｔｙｐｅ  １（configured grant Type 1）：上位層シグナリング（例えば、ＲＲＣ）によってＵＬグラントが提供され、設定されたＵＬグラントとして記憶（のように貯蔵）される（stored as configured UL grant）。
【０１２７】
−Ｔｙｐｅ  ２（configured grant Type 2）：Ｌ１シグナリング（例えば、ＰＤＣＣＨ）によってＵＬグラントが提供され、設定されたグラントの活性化又は非活性化（configured grant activation or deactivation）を指示するＬ１シグナリングに基づいて設定されたＵＬグラントとして記憶（のように貯蔵）されるか或いはクリア（削除）される（cleared）。
【０１２８】
このとき、端末は、効果的なリソース使用のために、上りリンク伝送のために複数の端末が共有するリソースプール（resource pool）をコンテンションベースで使用する。
【０１２９】
但し、基地局は、このようなコンテンションベースのリソース（contention-based resource）を用いて信号伝送を試みた端末の識別情報（身元）（identity）（例えば、識別子（識別者）（identifier））を正確に把握し難く、これにより、対応する端末固有（端末特定）フィードバック（UE-specific feedback）を伝送することが難しい。このような問題を解決するために、基地局は、端末固有のＡ／Ｎチャネル（UE-specific A/N channel）ではないリソース固有（リソース特定）のＡ／Ｎチャネル（resource-specific A/N channel）を使用することができる。
【０１３０】
また、本発明が適用可能な無線通信システムにおいては、ｇｒａｎｔ−ｆｒｅｅ上りリンク信号伝送に対する伝送成功率を高めるために、端末は、複数回繰り返してｇｒａｎｔ−ｆｒｅｅ上りリンク信号伝送を行うことができる。
【０１３１】
但し、従来の無線通信システムでサポートする専用上りリンクリソース（dedicated UL resource）ではないコンテンションベースの上りリンクリソースにおいて端末の信号伝送回数を増加させることは、端末間の衝突確率を高めることができる。特に、端末が伝送ごとに同一のリソースで信号を伝送する場合、連続的な衝突を引き起こすことができる。
【０１３２】
さらに、このような信号送受信方式に対して従来の無線通信システムで定義されたフィードバック伝送方法を使用することは、大きなシグナリングオーバーヘッド（signaling overhead）を引き起こすことができる。したがって、ｇｒａｎｔ−ｆｒｅｅ信号伝送の特殊性を考慮したｇｒａｎｔ−ｆｒｅｅ信号に対するフィードバック伝送チャネル、フィードバックの伝送方法及びこれを受信した端末の具体的な動作に対する提案が必要である。
【０１３３】
よって、本発明では、基地局の動的スケジューリング（dynamic scheduling）なしで上りリンク伝送を行う端末が、同一のＴＢ（Transmission Block）に対して同一又は繰り返し伝送を行う場合、多数のフィードバックチャネルを考慮した基地局のフィードバック伝送方法、及びこれに対応してフィードバックを受信した端末の具体的な動作について詳しく説明する。
【０１３４】
以下の説明において、無線リソース（radio resource）又はリソースとは、時間／周波数リソースだけではなく、拡散コード（spreading code）、スクランブルコード（scrambling code）、インターリーブ（インターリービング）パターン（interleaving pattern）、電力割り当て（power allocation）などの多元接続（multiple access）方式によって互いに区別（区分）される（distinguished）要素を意味する。
【０１３５】
以下、フィードバック、ＡＣＫ又はＮＡＣＫは、単に受信したデータのデコード結果に限られず、端末の成功した（成功的な）ＵＬ伝送を示す（の）ために（to indicate successful UL transmission）基地局が伝送する特定の信号に対する応答を全て含む。
【０１３６】
以下、ＵＬチャネル／信号及びｇｒａｎｔ−ｆｒｅｅ／ｇｒａｎｔ−ｂａｓｅｄ無線リソースを中心として詳しく説明するが、本発明の構成はこれらに限られず、ＤＬチャネル／信号及び他の無線リソースについても拡張して適用できる。
【０１３７】
３．１．  Ａ／Ｎチャネル伝送に基づく同期タイミング（Synchronous timing based A/N channel transmission）
【０１３８】
本発明が適用可能な無線通信システムにおいて、端末が割り当てられた上りリンクリソースを通じて上りリンク信号伝送を行った時、基地局は、それに対するフィードバックを端末に伝達する必要がある。基地局がｇｒａｎｔ−ｆｒｅｅ信号伝送端末にＵＬ伝送成功のフィードバック（例えば、Ａ／Ｎ）を伝達する方法として、以下の２つの方法が考えられる。
【０１３９】
（１）  第１タイプリソースを通じたフィードバックの伝達方法
【０１４０】
第１タイプリソースを通じたフィードバックの伝達方法は、端末固有リソース（UE-specific resource）を使用するフィードバックの伝達方法である。一例として、基地局は、ＵＬグラントなどのメッセージにＡ／Ｎ情報を含ませて対応する端末に伝送するか、或いは所定の端末固有指定リソース（UE-specific dedicated resource）を割り当てて各々の端末に対するＡ／Ｎ伝達のために使用することができる。
【０１４１】
（２）  第２タイプリソースを通じたフィードバックの伝達方法
【０１４２】
第２タイプリソースを通じたフィードバックの伝達方法は、リソース固有リソース（Resource-specific resource）を使用するフィードバック伝達方法である。このとき、リソース固有リソースとは、ｇｒａｎｔ−ｆｒｅｅリソースプールに対するＡ／Ｎビットマップを含むＤＣＩ、又は従来のＬＴＥシステムのＰＨＩＣＨと同様に伝送リソースに連関する時間／周波数リソースを意味する。また、一般に、第２タイプリソースとは、端末が上りリンク信号を伝送したリソースによって異なって決定されるリソースを意味する。
【０１４３】
第１タイプリソースを用いたフィードバックの場合、基地局は、端末のＡＲＱスキーム（scheme）によってＨＡＲＱプロセス番号などを用いて特定のフィードバックがどの信号伝送に対するフィードバックであるかを指示することができる。
【０１４４】
但し、第２タイプリソースを用いたフィードバックの場合、このフィードバックは、対応する（端末の上りリンク）信号伝送に使用された時間／周波数リソースを示す（又は指示する）必要がある。
【０１４５】
このために、第２タイプリソースを用いたフィードバックでは、時間情報を除いたリソース情報を含み、フィードバックの伝送時点によって時間（リソース）情報が指示される方法が適用される。言い換えれば、第２タイプリソースを用いたフィードバックでは、伝送時点及び所定のリソース情報によって対応する（端末の上りリンク）信号に対するリソースを指示することができる。
【０１４６】
より具体的には、時間＃Ｎに伝送されたフィードバックがリソース＃Ｒを示す（又は指示する）情報を含む場合、フィードバックは、フィードバックが伝送された時点（例えば、時間＃Ｎ）から固定された時間間隔Ｋほど離れた時間＃Ｎ−Ｋ内のリソース＃Ｒにおける上りリンク信号伝送に対するフィードバックと見なされることができる。ここで、時間間隔Ｋは、基地局からのシグナリングによってＵＥ−ｓｐｅｃｉｆｉｃ／ｒｅｓｏｕｒｃｅ−ｓｐｅｃｉｆｉｃ／ｇｒｏｕｐ−ｓｐｅｃｉｆｉｃに決定される。また時間間隔Ｋは、端末の能力（capability）によって決定される。
【０１４７】
伝送信号のリソースと伝送信号に対応するＡ／Ｎリソースとの１：１マッピングが暗黙的に決定される場合（例えば、リソースプール内のインデックスがＡ／Ｎインデックスとして使用される（index within a resource pool is used for A/N index））、異なるＫ値を有する端末間の衝突を避けるために、Ａ／Ｎインデックスに対して所定のオフセットが設定されることができる。このような設定は、上位層、ＤＣＩ又はＭＡＣ  ＣＥ（Medium Access Control Control Element）などにより変更可能である。
【０１４８】
一般的な同期（synchronous）ＨＡＲＱ−ＡＣＫ伝送を仮定したとき、Ａ／Ｎリソースは、ｇｒａｎｔ−ｆｒｅｅ  ＵＬ伝送の時間／周波数リソースと暗黙的なマッピング関係を有する。よって適用可能な例として、以下のものが考えられる。
【０１４９】
１）ＰＨＩＣＨ又はＡ／Ｎチャネルは、Ｎ個のＡ／Ｎリソースを有する。ここで、Ｎは１つのスロット内のリソースプールに含まれたリソースの数に対応する（PHICH or A/N channel has“N”ACK-NACK resources where N corresponds to number of resources in a resource pool in a slot）。また、リソースは周波数／コードで区別される。
【０１５０】
−具体的な一例として、Ａ／Ｎが伝送されるタイミングＭは暗黙的に決定できる。このとき、端末は、端末のプロセス能力によってタイミング値を異なって仮定する。より具体的には、端末のプロセス能力がタイミングＭより小さいか又は等しい場合（言い換えれば、端末が上りリンク信号を伝送し、下りリンク信号を受信できるように動作を変更するための最小時間（例えば、UL-to-DL switching time）がタイミングＭより小さいか又は等しい場合）、端末は、Ａ／Ｎ伝送タイミング値をＭと仮定することができる。反面、端末のプロセス能力がタイミングＭより大きい場合には、端末はＡ／Ｎ伝送タイミング値を２＊Ｍと仮定することができる。このとき、端末のプロセス能力がタイミング２＊Ｍより大きい端末に対しては、同じリソースプール及びＡ／Ｎリソースがサポートされないと仮定する。
【０１５１】
ここで、Ｍ値は、各々のＡ／ＮリソースまたはＡ／Ｎチャネルごとに設定される。
【０１５２】
タイミング２＊Ｍのための端末のために、Ａ／Ｎリソースは、各々のインデックスごとに少なくとも２つのリソースで構成される（即ち、ｏｎｅ  ｆｏｒ  ｔｉｍｉｎｇ  Ｍ  ＵＥ、ｔｈｅ  ｏｒｄｅｒ  ｆｏｒ  ｔｉｍｉｎｇ  ２＊Ｍ  ＵＥ  ｆｏｒ  ｔｈｅ  ｓａｍｅ  ｒｅｓｏｕｒｃｅ）。各々のリソースごとにコードブロックの伝送が多数個（回）である場合、各々のインデックスごとのＡ／Ｎリソースはさらに設定されることができる。
【０１５３】
具体的な他の例として、Ａ／Ｎフィードバックが伝送されるタイミングＫは各々の端末ごとに設定される。このとき、各々の端末は、互いに異なるＫ値を有するか、衝突を避けるために各々のリソース（例えば、周期的／コードリソース）ごとに異なるＫ値に対応するＡ／Ｎリソースが割り当てられるか、或いはＫ値による互いに異なるオフセットが設定される。
【０１５４】
２）ＰＨＩＣＨ又はＡ／Ｎチャネルは、Ｐ個のＡ／Ｎリソースを有する。ここで、Ｐは、１つのスロット内のリソースプールで受信された信号の数（正確に受信されたか否かに関係なく）に対応する（PHICH or A/N channel has“P”ACK-NACK resources where P corresponds to number of received（regardless of whether corrected detected or not) in a resource pool in a slot）。
【０１５５】
この例の場合、リソースプールのうち、使用されたリソースに対するＡ／Ｎ伝送（ＮＡＣＫ或いはＡＣＫ）のためのリソースのみが設定される。又はフィードバック（例えば、ＮＡＣＫ或いはＡＣＫ）を伝送するリソースの数だけＡ／Ｎリソースが設定される。この方法によれば、Ｋに対する識別情報は、Ａ／Ｎフィードバックと共に伝送されるか或いは別に（特に）（separately）設定される。
【０１５６】
２）の例によるマッピングにおいて、上述した１）の方法のように、Ａ／Ｎフィードバックタイミングは、端末間で同一に設定されるか或いは異なって設定される。
【０１５７】
また、ｇｒａｎｔ−ｆｒｅｅ上りリンク信号伝送のためにコンテンションベースの上りリンクリソースが使用される場合、端末間に衝突が発生したとき、各々の端末は、これに対するフィードバックを伝送する必要がある。よって、繰り返し信号伝送を試みる端末は、頻繁なフィードバック伝送が必要である。
【０１５８】
このとき、上述した第２タイプリソースがフィードバックの伝送のために使用されると、シグナリングオーバーヘッドが減少することができる。反面、ＡＣＫを伝達するにおいて、第２タイプリソースが使用される場合、端末にｎｅａｒ−ｆａｒ−ｐｒｏｂｌｅｍがあったり、該当端末が低電力ＵＥであって該当信号が基地局まで伝送できなかったりすることにより、該当端末は、ＮＡＣＫ−ｔｏ−ＡＣＫ  ｅｒｒｏｒを引き起こすことができる。
【０１５９】
したがって、伝達するフィードバック及び端末のリソース設定によって異なるフィードバックチャネルを活用する方法が考えられる。かかるフィードバックチャネルとｇｒａｎｔ−ｆｒｅｅ伝送を行う端末の伝送繰り返しとを考慮したとき、本発明では、以下のようなＡ／Ｎ伝送方法が考えられる。
【０１６０】
＜１＞  受信又は繰り返しごとにＡ／Ｎ伝送（A/N transmission per repetition or each reception）
【０１６１】
基地局は、受信／繰り返しごとに信号伝送に対するフィードバックを端末に伝達する。このとき、端末が繰り返し伝送を行うと、基地局は、端末に１つのＴＢに対して複数のＡＣＫ又はＮＡＣＫを伝送する。
【０１６２】
＜２＞  繰り返し伝送の最後に対してのみＡ／Ｎフィードバックを伝送（A/N transmission only for end of repetition）
【０１６３】
基地局は、端末の最後の繰り返し伝送に対してのみ端末にフィードバックを伝送できる。
【０１６４】
ここで、端末の最後の繰り返し伝送を定義する方法として、基地局と端末との間のシグナリングによって予め定義された繰り返し回数が使用される。ここで、端末の初期伝送（initial transmission）と繰り返し伝送（又は再伝送）とは区別できると仮定する。端末の最後の繰り返し伝送を特定することが不可能な場合、指定されたリソース上で送信される（が出した）ＴＢ（the TB transmitted on designated resources）に対するＡ／Ｎ伝送が可能であると仮定する。一例として、ｇｒａｎｔ−ｆｒｅｅリソース（又は信号）が各（毎）（every）スロット又は各ｍｉｎｉ−スロットから伝送されると仮定した場合、Ａ／Ｎ信号の伝送に該当するリソースは、各Ｋスロット又は各Ｋｍｉｎｉ−スロットなどと仮定できる。ネットワークは、該当リソースから初期伝送又は繰り返し伝送に対するＡ／Ｎ信号を伝送することができる。特に、ネットワークが同じデータを区別できる場合、ネットワークは、端末から伝送された信号に対するＡ／Ｎを結合／蓄積（aggregation/accumulation）した後にＡＣＫ又はＮＡＣＫに対する伝送を行うことができる。
【０１６５】
又は、最後の繰り返し伝送を定義する方法として、端末の最後の繰り返し伝送は、基地局と端末との間のシグナリングによって予め定義されたリソースから伝達されるものとして定義できる。ここで、シグナリングは、ＵＥ−ｓｐｅｃｉｆｉｃ／Ｇｒｏｕｐ−ｓｐｅｃｉｆｉｃ上位層シグナリング又はＤＣＩ／Ｇｒｏｕｐ  ＤＣＩに対応する。
【０１６６】
なお、基地局がＡ／Ｎ信号を伝達する時点が端末の最後の繰り返し伝送であると定義できる。ちなみに、基地局がＡ／Ｎ信号を伝送するスロット又はｍｉｎｉ−スロットが予め設定された場合（例えば、スロット又はｍｉｎｉ−スロット＃Ｎ）、スロット又はｍｉｎｉ−スロット＃Ｎ−Ｋで伝送されるリソース（又は信号）が最後の繰り返し伝送になるように初期伝送を構成することができる。
【０１６７】
ネットワークが初期伝送の開始点を分からない場合、端末は、繰り返し伝送ごとに何回目の繰り返し伝送であるかをデータ又はＵＣＩの形態で伝送することができる。
【０１６８】
−適用可能な一例として、ＡＣＫは第２タイプリソースを通じて伝達され、ＮＡＣＫはさらに第１タイプリソースを用いて伝送されるように設定できる。より具体的には、ＮＡＣＫはＵＬグラントを介して伝送され、ＵＬグラントが表すＵＬリソースは端末の再伝送のために使用される。
【０１６９】
また、第２タイプリソースを通じてＡＣＫとは異なる情報が伝送されることができる。このとき、端末は、ＡＣＫが受信されるとＡＣＫと見なすが、Ａ／Ｎチャネルで指定されたリソースからＡＣＫが指示されないと該当伝送に対して如何なる仮定も行わない。よって、ネットワークがＵＬグラントを伝送して再伝送をトリガするまで、端末は再伝送を行わない。ＵＬグラントを介して再伝送に対するトリガがない場合、端末は、一定時間後にｂｕｆｆｅｒ  ｆｌｕｓｈを行うか、ｇｒａｎｔ−ｆｒｅｅ信号伝送に対する繰り返し伝送を続けるか、或いは再伝送を行わないことができる。
【０１７０】
−適用可能な他の例として、Ａ／Ｎ信号は、第２タイプリソースのみを使用して伝送され、伝送復旧のための再伝送は、ｇｒａｎｔ−ｆｒｅｅ  ｒｅｓｏｕｒｃｅ  ｐｏｏｌに含まれたリソースを用いて行われる。またＡ／Ｎ信号伝送と再伝送とに使用されるリソースプールは、同一に設定されることができる。
【０１７１】
＜３＞  ＡＣＫは繰り返し伝送ごとに伝送され、ＮＡＣＫは最後の繰り返し伝送にのみ伝送される（A/N transmission per repetition (if occurred) (ACK is transmitted for all repeated transmission), NACK transmission only for the end of repetition）。
【０１７２】
基地局は、端末の各繰り返し伝送において（毎繰り返し伝送に対する）フィードバックがＡＣＫである場合にのみその（毎）繰り返し伝送に対してＡＣＫを伝送し（When feedback on UE’s repeated transmission is ACK, a BS transmits the ACK in response to the repeated transmission）、端末の最後の繰り返し伝送に対してのみ全てのフィードバック（例えば、ＡＣＫ又はＮＡＣＫ）を伝送することができる。より具体的には、基地局は、各繰り返し伝送に対してはＮＡＣＫを除いたフィードバックのみを伝達し、該当繰り返し伝送が最後の繰り返し伝送である場合には、全てのフィードバック（例えば、ＡＣＫ又はＮＡＣＫ）を伝達できる。
【０１７３】
一例として、基地局がフィードバック情報としてＡＣＫ、ＣＯＬＬＩＳＩＯＮ、ＮＡＣＫ又はＤＴＸ（Discontinuous Transmission）を伝送する場合、ＮＡＣＫは最後の繰り返し伝送の場合にのみ伝送され、その他のフィードバック情報は各繰り返し伝送（又は初期伝送）に対応して伝送できる。
【０１７４】
フィードバック情報としてＡＣＫ、ＣＯＬＬＩＳＩＯＮ及びＤＴＸのうちのいずれか１つが伝送される場合、端末は、伝送された情報によって異なる動作を行う。具体的には、フィードバック情報がＤＴＸである場合、端末は、ＭＣＳ（Modulation and Coding Scheme）や電力などを調整する。フィードバック情報がＣＯＬＬＩＳＩＯＮである場合は、端末は、新しいリソースを選択するか或いは他のリソースに変更して続く信号伝送を行う。フィードバック情報がＡＣＫである場合には、端末は、繰り返し伝送を中止する。
【０１７５】
このような動作によれば、繰り返し伝送が終了するまでにはｇｒａｎｔ−ｆｒｅｅのリソースを用いた手順によってｃｏｌｌｉｓｉｏｎ及びｌｏｗ  ＳＩＮＲ  ｃｏｎｄｉｔｉｏｎが解決され、所定回数ほど繰り返し伝送が行われた後には端末の再伝送過程を通じて回復過程が行われる。
【０１７６】
＜４＞  １番目のＡＣＫに対するＡＣＫ伝送（ACK transmission for the first success、NACK transmission）
【０１７７】
基地局は、初めてＡＣＫが発生すると、これに対するフィードバックを伝達し、該当繰り返し伝送が最後の繰り返し伝送であると、これに対するフィードバックとしてＡＣＫ又はＮＡＣＫを伝達することができる。
【０１７８】
より具体的には、基地局は、繰り返し伝送ごとに伝送に対するＮＡＣＫ及び最初に発生したＡＣＫを除いたフィードバックのみを伝達し、該当繰り返し伝送が最後の繰り返し伝送である場合は、最初に発生したＡＣＫを除いた全てのフィードバックを伝達することができる。この場合、上述した＜３＞での動作に比べて、ＡＣＫのオーバーヘッドを減らすことができるという長所がある。
【０１７９】
上述した伝送方法によりフィードバックが伝達されるＡ／Ｎチャネルは、第１タイプリソース又は第２タイプリソースで構成される。このとき、同じ情報を有するフィードバックであっても、フィードバックが伝達されるＡ／Ｎチャネルによって、端末は、互いに異なる動作を行うことができる。ここで、端末が繰り返し伝送を行わない場合、基地局は、初期繰り返し（initial repetition）を最後の繰り返し（last repetition）と同様に扱ってＡ／Ｎ信号を伝送することができる。
【０１８０】
このようなＡ／Ｎチャネルは、端末の合計（総）繰り返し伝送回数（the total number of repetitions）或いは各々の繰り返し順序（順番）（repetition order）によって変化する。
【０１８１】
一例として、端末が自由に合計繰り返し回数を変更するか、或いは同一の（信号伝送）リソースで互いに異なる端末が異なる合計繰り返し回数を有する場合、Ａ／Ｎチャネルマッピングを容易にするために、Ａ／Ｎチャネルリソースは、合計繰り返し回数によって異なって設定される。
【０１８２】
この場合、Ａ／Ｎチャネルは、端末が使用する合計繰り返し回数に合わせて繰り返されるように設定される。また各々の繰り返し伝送に対するＡ／Ｎ信号を区別するために、繰り返し伝送の順序（repetition transmission order）によって異なるＡ／Ｎチャネルが割り当てられる。
【０１８３】
ここで、合計繰り返し回数とＡ／Ｎチャネルの数とは異なることができる。このとき、Ａ／Ｎチャネルと各繰り返し（繰り返し回数）との間のマッピング（The mapping relationship between A/N channels and repetitions）は、基地局の上位層シグナリングによって予め決定されることができる。一例として、各スロットにおける信号伝送に対して、該当スロットから各Ｋスロット後にＡ／Ｎ信号が伝送される場合、Ａ／Ｎ信号の周期Ｋは、基地局によって予め設定されることができる。また（Alternatively）、所定のテーブル情報によって（based on separate table information）、繰り返し伝送の総数（total number of repetitions）に対してＡ／Ｎ信号が伝送される繰り返し順序が予め決められる。
【０１８４】
基地局は、Ａ／Ｎチャネルを介してＡＣＫ及びＮＡＣＫだけではなく、端末が上りリンク伝送に関する結果を判断する時に役に立つ他の情報を伝達することができる。より具体的には、基地局は、Ａ／Ｎチャネルを介して対応する信号伝送が成功したか或いは失敗したかだけではなく、信号伝送の失敗原因などを示す情報を伝達することができる。
【０１８５】
一例として、端末の伝送が失敗した場合、基地局は、この伝送失敗が、１）他の端末との衝突によるものであるか（ＣＯＬＬＩＳＳＩＯＮ）、２）伝送自体が基地局に到達しなかったか（ＤＴＸ）、或いは３）単に基地局がデコードに失敗したかを端末に知らせることができる。このとき、基地局が端末に知らせる情報の例としては、以下のものを適用できる。
【０１８６】
１＞  第１タイプリソースがＡ／Ｎリソースとして使用される場合、基地局は、伝送される情報に含まれた所定のフィールドを通じてＣＯＬＬＩＳＩＯＮ及びＤＴＸを表す（又は指示する）。
【０１８７】
２＞  Ａ／Ｎリソースとして第１タイプリソースと第２タイプリソースとが同時に使用される場合、基地局は、第１タイプリソースを用いてＡＣＫ信号を伝送することによりＡＣＫ信号をＵＥ−ｓｐｅｃｉｆｉｃに伝送し、第２タイプリソースを用いてＤＴＸ／ＣＯＬＬＩＳＩＯＮに関する情報を伝送することができる。
【０１８８】
このとき、第２タイプリソースに対して、端末は、ＯＯＫ（On-Off Keying）を考慮することができる。一例として、端末にＵＥ−ｓｐｅｃｉｆｉｃした（端末固有の）リソースＲ１及びｒｅｓｏｕｒｃｅ  ｓｐｅｃｉｆｉｃした（リソース固有の）リソースＲ２が割り当てられた場合、端末は、Ｒ１を通じてＡＣＫが伝達され（を受信し）、Ｒ２のｏｎ−ｏｆｆ  ｋｅｙｉｎｇを通じてＮＡＣＫを判断することができる。また必要な場合、端末は、Ｒ２をデコードしてＤＴＸ／ＣＯＬＬＩＳＩＯＮなどの原因を把握することができる。
【０１８９】
３＞  １つの物理無線リソースに対して多数のＡＣＫ／ＮＡＣＫを伝達できる場合、基地局は、該当のＡＣＫ／ＮＡＣＫの特定の組み合わせを通じて他の情報を表すことができる。
【０１９０】
一例として、１つの物理無線リソースが互いに異なる端末に対してＤＭ−ＲＳなどに区分されて共有される場合、基地局は、各々のＤＭ−ＲＳ当たりに（ごとに）Ａ／Ｎ信号を伝送することができる。このとき、基地局と端末とは、Ａ／Ｎの組み合わせのうちの特定の組み合わせが異なる情報を指示すると互いに約束することができる。一例として、全ての端末に対するフィードバック情報がＡＣＫで示された場合、基地局及び端末は、該当ケースをｃｏｌｌｉｓｉｏｎ  ｃａｓｅとして判断することができる。
【０１９１】
４＞  １つの物理無線リソースに対して多数の端末に対するＡＣＫ／ＮＡＣＫが伝達され、端末が他の端末に対するＡＣＫ／ＮＡＣＫも受信できる場合、端末は、他の端末のＡＣＫ／ＮＡＣＫを通じて現在のケースを推定できる。
【０１９２】
一例として、信号伝送を試みた端末がＮＡＣＫを受信し、ＡＣＫを受信した他の端末が存在することを認知した場合、端末は、現在ケースをｃｏｌｌｉｓｉｏｎ  ｃａｓｅと判断できる。
【０１９３】
より具体的には、ＤＣＩ  ｆｏｒｍａｔ  ３／３Ａなどの形態でＡＣＫ／ＮＡＣＫを受信する場合、基地局は、情報インデックス及び同一のリソースを共有する端末の情報インデックスの範囲を端末に知らせることができる。このとき、特定の端末のインデックスに該当する情報がＮＡＣＫであり、該当情報インデックス範囲内の他の端末に対して少なくとも１つのＡＣＫが存在する場合、特定の端末は、現在ケースをｃｏｌｌｉｓｉｏｎ  ｃａｓｅと判断することができる。また、特定の端末のインデックスに該当する情報がＮＡＣＫであり、該当情報インデックス範囲内の他の端末に対してもＡＣＫが存在しない場合は、特定の端末は、現在ケースをＤＴＸ  ｃａｓｅと判断することができる。
【０１９４】
このようなフィードバック伝送方法を使用して基地局が端末にフィードバックを伝達する過程において、特定の時点に対するスロットが使用不可能であったり使用可能なＡ／Ｎリソースがないか足りないことがある。
【０１９５】
一例として、ＤＣＩのような形態でＡ／Ｎ信号が伝送される場合、１つのスケジューリング時間に伝達できるＡ／Ｎフィードバックの数は、リソースのサイズ又は情報のサイズ検索領域（search space）の構成などにより制限される。また、特定の時間／周波数リソースがＡ／Ｎリソースで割り当てられる場合、該当リソース領域は、他の物理チャネル（例えば、ＰＢＣＨ）により制限される。
【０１９６】
したがって、Ａ／Ｎフィードバックの伝送時点がデータの伝送時点に連関して、上記のような理由によって基地局がフィードバックを伝送できない場合、これに対応した端末の動作が新しく定義される必要がある。以下、上記のような理由などによってＡ／Ｎフィードバックが伝送されない場合、これに対応する端末の具体的な動作について詳しく説明する。
【０１９７】
［１］  Ａ／Ｎ伝送は、機会主義的である（A/N transmission can be opportunistic）
【０１９８】
端末は、基本的にＡ／Ｎ信号が受信できないことがあると仮定する。よって、信号伝送に対するフィードバックが受信されなかった場合、端末は何も仮定しない。言い換えれば、端末の信号伝送に対して基地局がＡ／Ｎ信号を伝達できない場合、該当構成は端末の動作に影響を与えない。このような動作によれば、端末は、ＡＣＫを受信したか、ＮＡＣＫを受信したか、或いは明示的に特定の情報を受信した場合にのみ所定の動作を行う。
【０１９９】
［２］  Ａ／Ｎ伝送はいつも仮定される（A/N transmission is always assumed）
【０２００】
端末は、基本的に全ての信号伝送に対してＡ／Ｎ信号が伝達されたと仮定する。よって、端末の信号伝送に対して基地局がＡ／Ｎ信号を伝達できない場合（又はＡ／Ｎ信号を受信できなかった場合）、端末は、伝送した信号が伝送失敗したと仮定して、ＮＡＣＫを受信した場合と同様に動作する。また（Alternatively）、端末は、Ａ／Ｎ信号を受信しないと、基本（default）動作としてＤＴＸを受信した場合と同様に動作する。このような動作の一例として、端末は、電力などを調整して受信性能を高める。
【０２０１】
［３］  Ａ／Ｎ信号が受信されない場合、これをＡＣＫと仮定する（In case A/N is missing, consider it as ACK）
【０２０２】
端末は、基本的にＡＣＫの伝達は省略できると仮定する。即ち、端末が基地局から何らのフィードバック情報も受信できなかった場合（例えば、Ａ／Ｎが伝達されなかった場合）、端末は、信号伝送に成功したと仮定して、ＡＣＫを受信した場合と同様に動作する。
【０２０３】
このような端末の動作において、Ａ／Ｎ信号の伝送方法は、上述したＡ／Ｎ伝送方法のうちのいずれかに従う。
【０２０４】
同一の情報を有するフィードバックを受信しても、上述した端末の具体的な動作及びＡ／Ｎ伝送方法の組み合わせによって、端末は異なる動作を行う。
【０２０５】
また、端末の繰り返し回数によって、端末は互いに異なる動作を適用できる。一例として、端末は、初期伝送又は繰り返し伝送に対するＡ／Ｎ信号を受信できなかった場合（missing）と、最後の繰り返し伝送に対するＡ／Ｎ信号を受信できなかった場合（A/N missing）とに、互いに異なる動作を行う。
【０２０６】
端末は、基地局がフィードバックを伝送しなかったか、或いは基地局がフィードバックを伝送したにもかかわらず端末がフィードバック受信に失敗したか、を区別することが難しい。よって、フィードバックに対する仮定によって発生する誤動作を避けるために、端末は、上述した動作のうち、［１］による動作を行うことができる。又は［２］若しくは［３］による動作によってフィードバックを仮定することにより、端末はより機敏に動作できる。
【０２０７】
但し、間違ったフィードバック仮定は、ｇｒａｎｔ−ｆｒｅｅ  ｒｅｓｏｕｒｃｅ  ｐｏｏｌの衝突を引き起こすことができる。一例として、間違ったｇｒａｎｔ−ｆｒｅｅ  ｒｅｓｏｕｒｃｅ  ｐｏｏｌ  ｃｏｎｆｉｇｕｒａｔｉｏｎが行われるか、或いは端末が既に伝送された基地局のグラントをｍｉｓｓｉｎｇした（受信しなかった）場合、端末は、基地局の意図とは異なる動作を行い、これによって他の端末の伝送と衝突を引き起こすことができる。
【０２０８】
また、Ａ／Ｎ  ｍｉｓｓｉｎｇが持続的に発生する場合、端末には大きな遅延時間が発生する。一例として、基地局が端末の間違ったｒｅｓｏｕｒｃｅ  ｐｏｏｌ設定又は非同期状態などによって端末の識別情報を検出できない場合、端末は、基地局との同期を再設定したりｒｅｓｏｕｒｃｅ  ｐｏｏｌを再設定したりするなどの復旧を行うまでは伝送を完了し難い。したがって、この場合、端末の動作が新しく定義される。以下、上記のような状況で適用可能な端末の動作について詳しく説明する。
【０２０９】
１］  ｇｒａｎｔ−ｆｒｅｅ伝送を行う端末において、所定のＫ＿ｍｉｓｓｉｎｇほどのＡ／Ｎ  ｍｉｓｓｉｎｇが連続して発生する場合、端末は、該当伝送の繰り返しを中止し、新しい伝送を開始する。
【０２１０】
２］  ｇｒａｎｔ−ｆｒｅｅ伝送を行う端末において、所定のＫ＿ｍｉｓｓｉｎｇほどのＡ／Ｎ  ｍｉｓｓｉｎｇが連続して発生する場合、端末は、ｇｒａｎｔ−ｆｒｅｅ  ｒｅｃｏｎｆｉｇｕｒａｔｉｏｎを行う。ここで、ｇｒａｎｔ−ｆｒｅｅ  ｒｅｃｏｎｆｉｇｕｒａｔｉｏｎとは、ＳＲ（Scheduling Request）などのシグナリングによって端末がｇｒａｎｔ−ｂａｓｅｄ伝送方式に変換されることを意味するか、或いはＳＲ／ＰＲＡＣＨと同様の方式でｇｒａｎｔ−ｆｒｅｅ  ｆａｉｌｕｒｅに対するフィードバックを伝達し、新しいｇｒａｎｔ−ｆｒｅｅ  ｒｅｓｏｕｒｃｅ  ｐｏｏｌが割り当てられることを意味する。
【０２１１】
３］  ｇｒａｎｔ−ｆｒｅｅ伝送を行う端末において、所定のＫ＿ｍｉｓｓｉｎｇほどのＡ／Ｎ  ｍｉｓｓｉｎｇが連続して発生する場合、端末は、割り当てられたｇｒａｎｔ−ｆｒｅｅ  ｒｅｓｏｕｒｃｅ  ｐｏｏｌの代わりに所定のｇｒａｎｔ−ｆｒｅｅ  ｆａｌｌｂａｃｋ  ｒｅｓｏｕｒｃｅを使用することができる。ここで、ｆａｌｌｂａｃｋ  ｒｅｓｏｕｒｃｅは、基地局がＭＩＢ／ＳＩＢ（Master Information Block/System Information Block）などのシグナリングによってｃｅｌｌ−ｓｐｅｃｉｆｉｃ／ｇｒｏｕｐ−ｓｐｅｃｉｆｉｃに設定した（設定された）ｇｒａｎｔ−ｆｒｅｅ  ｒｅｓｏｕｒｃｅ  ｐｏｏｌであるか、或いはｇｒａｎｔ−ｆｒｅｅ  ｃｏｎｆｉｇｕｒａｔｉｏｎ過程で割り当てられたＵＥ−ｄｅｄｉｃａｔｅｄ  ｒｅｓｏｕｒｃｅである。
【０２１２】
このような例外動作は、端末が連続してＮＡＣＫやＣＯＬＬＩＳＩＯＮ又はＤＴＸを指示する信号を受信した場合にも同様に適用できる。このような状態（例えば、ＮＡＣＫ、ＣＯＬＬＩＳＩＯＮ、ＤＴＸなど）が連続して伝送されることは、ｒｅｓｏｕｒｃｅ  ｐｏｏｌのｃｏｌｌｉｓｉｏｎ  ｒａｔｅが高いか、或いはｓｉｇｎａｌ  ｒｅｃｅｐｔｉｏｎ  ｑｕａｉｌｉｔｙが非常に低いことを意味するので、端末は、構成されたｃｏｎｆｉｇｕｒａｔｉｏｎなどを修訂する（correct）必要がある。一例として、ＤＴＸが持続されると、端末は、信号を伝送するビームを変更する必要がある。よって、ｒｅｐｅｔｉｔｉｏｎが繰り返される場合、端末は、複数のビームで繰り返し伝送を行うことができる。
【０２１３】
本発明によれば、連続してＮＡＣＫやＣＯＬＬＩＳＩＯＮ又はＤＴＸが発生した場合、端末は、以下のように動作できる。
【０２１４】
（Ａ）  端末は、基地局のハンドリングを待機することができる。より具体的には、端末が自ら（自律的に、自動的に、autonomously）判断したＣＯＬＬＩＳＩＯＮ又はＤＴＸが間違った場合（例えば、明示的なＤＴＸ／ＣＯＬＬＩＳＩＯＮ指示子（指示者、indicator）が受信された場合）、基地局は、既に該当端末のＤＴＸ、ＣＯＬＬＩＳＩＯＮの有無を把握していると仮定できる。よって、端末は、基地局の電力制御（power control）又はｇｒａｎｔ−ｆｒｅｅ  ｒｅ−ｃｏｎｆｉｇｕｒａｉｏｎを期待して基地局からのハンドリングを待つ。一例として、端末は、進行中の信号伝送を中止し、ｇｒａｎｔ−ｂａｓｅｄ信号伝送方式への転換を期待する。
【０２１５】
（Ｂ）  端末は、基地局にハンドリングを要求（要請）する（request）ことができる。端末が自らＣＯＬＬＩＳＩＯＮ／ＤＴＸを判断したか或いはｌａｔｅｎｃｙ−ｓｅｎｓｉｔｉｖｅしたトラフィックを使用する場合、基地局は、端末のＤＴＸ、ＣＯＬＬＩＳＩＯＮの有無を知らないか或いは直ちにハンドリングを行わないことができる。よって、端末は、基地局に直接ハンドリングを要求することができる。
【０２１６】
（Ｂ−１）  端末が基地局にＤＴＸ／ＣＯＬＬＩＳＩＯＮのハンドリングを要求する場合、端末は、上位層シグナリングによって基地局にハンドリングを要求できる。
【０２１７】
（Ｂ−２）  端末は、ＵＣＩを通じて基地局にＤＴＸ／ＣＯＬＬＩＳＩＯＮのハンドリングを要求することができる。一例として、端末が特定のＳＲ  ｒｅｓｏｕｒｃｅを通じてＳＲを要求する場合、基地局は、該当端末が（に対する）ｒｅ−ｃｏｎｆｉｇｕｒａｉｏｎを要求した（こと）と仮定できる。又は、端末は、ＣＳＩのような形態でｇｒａｎｔ−ｆｒｅｅ  ｒｅｐｏｒｔを伝送することにより基地局にハンドリングを要求できる。この場合、ｇｒａｎｔ−ｆｒｅｅ  ｒｅｐｏｒｔは、ＤＴＸ及びＣＯＬＬＩＳＩＯＮの有無を示す１ビット情報である。
【０２１８】
（Ｂ−３）  端末は、ランダムアクセス（任意接続）（random access）を通じて基地局にハンドリングを要求することができる。一例として、ｇｒａｎｔ−ｆｒｅｅが設定された端末がランダムアクセスを要求する場合、基地局は、ＣＯＬＬＩＳＩＯＮ／ＤＴＸ又は間違ったｃｏｎｆｉｇｕｒａｔｉｏｎを仮定して端末にｇｒａｎｔ−ｆｒｅｅ  ｒｅ−ｃｏｎｆｉｇｕｒａｔｉｏｎを行うことができる。又は、一般的なランダムアクセスと区別される特定のプリアンブルがｇｒａｎｔ−ｆｒｅｅ  ｒｅｐｏｒｔ用として予約（保留、リザーブ）（reserve）される場合、端末は、特定のプリアンブルを用いたランダムアクセスを通じて基地局にハンドリングを要求することができる。
【０２１９】
（Ｃ）  端末は、任意にＤＴＸ／ＣＯＬＬＩＳＩＯＮのハンドリングを行うことができる。一例として、端末がＤＲＸであることが分かった場合、端末は、伝送電力をｒａｍｐｉｎｇして再び信号伝送を行うことができる。又は端末がＣＯＬＬＩＳＩＯＮであることを分かった場合、端末は、他のリソースを使用したり一定時間の間に伝送をｂａｃｋ−ｏｆｆしたりすることができる。このとき、ＴＸ  ｐｏｗｅｒ  ｒａｍｐｉｎｇのｓｔｅｐやｂａｃｋ−ｏｆｆの長さは、基地局の上位層シグナリング又はＬ１  ｓｉｇｎａｌｉｎｇによってＵＥ−ｓｐｅｃｉｆｉｃ又はｒｅｓｏｕｒｃｅ／ｇｒｏｕｐ／ｃｅｌｌ  ｓｐｅｃｉｆｉｃに決定されるか或いは所定の値が適用される。
【０２２０】
上述したように、ｇｒａｎｔ−ｆｒｅｅ伝送によって新しい伝送又は再伝送を行う端末は、基地局のスケジューリングなしで伝送を行うことができる。よって、ＵＥ−ｓｐｅｃｉｆｉｃのメッセージ（例えば、ＵＬグラントなど）を通じてフィードバックを受信しようとする場合、端末は、既存のメッセージに含まれたリソース割り当て情報の組み合わせを通じてフィードバックを判断することができる。これによる具体的な端末の動作例は、以下の通りである。
【０２２１】
Ａ）  基地局は、使用不可能であるか或いは使用頻度が低いリソース割り当て情報をＡＣＫとして活用できる。一例として、従来のシステムのＲＡ（Resource Allocation）ｔｙｐｅ  ２のようなリソース割り当て情報において、ＲＩＶ  ｔｏ  ｒｅｓｏｕｒｃｅ  ａｌｌｏｃａｔｉｏｎ  ｍａｐｐｉｎｇ  Ｔａｂｌｅに存在しないインデックスは、端末に提供されるフィードバック情報の指示用として活用できる。即ち、基地局は、従来のシステムで定義されていないＲＩＶ  ｔｏ  ｒｅｓｏｕｒｃｅ  ａｌｌｏｃａｔｉｏｎ  ｍａｐｐｉｎｇ  Ｔａｂｌｅのインデックスを用いて、端末にフィードバック情報を提供することができる。又はその他のリソース割り当て情報のうち、基地局が指定するある値は、端末によってフィードバック情報の１つとして判断されることができる。よって、基地局は、上記のある値を指示したリソース割り当て情報を端末に伝送することにより、端末にフィードバック情報を伝送することができる。
【０２２２】
Ｂ）  基地局は、現在使用していないＨＡＲＱプロセスを用いてフィードバック情報のうちの１つを指示することができる。
【０２２３】
Ｃ）基地局は、上述したＡ）、Ｂ）及び所定の情報の組み合わせにより、フィードバック情報のうちの１つを端末に提供することができる。
【０２２４】
上述したＡ／Ｎリソース、Ａ／Ｎ信号伝送方法及び端末動作の構成によって、端末は、同じフィードバック（例えば、ＡＣＫ、ＮＡＣＫ）を受信しても異なる動作を行うことができる。以下、Ａ／Ｎ伝送方法による具体的な端末動作の例について詳しく説明する。
【０２２５】
＜Ａ＞  Ａ／Ｎ  ｃｏｌｌｉｓｉｏｎ／ＤＴＸ  ｔｒａｎｓｍｉｓｓｉｏｎ  ｐｅｒ  ｒｅｐｅｔｉｔｉｏｎ
【０２２６】
−端末が基地局からＮＡＣＫ／ＣＯＬＬＩＳＩＯＮを受信した場合、端末は、進行中の繰り返し伝送を中断し、初期伝送から再度新しく伝送を開始する。このような動作により不要な再伝送が行われることはあるが、遅延に対する利益（benefit）が得られる。端末が基地局からＤＴＸを受信した場合、端末は、電力、ビームなどの伝送パラメータを変更できる。
【０２２７】
−端末は、基地局からＮＡＣＫを受信してもｇｒａｎｔ−ｆｒｅｅ  ｒｅｓｏｕｒｃｅ  ｐｏｏｌで繰り返し伝送を引き続き行うことができる。また、繰り返し伝送が終わると、端末は、再伝送を行うことができる。端末が基地局からＣＯＬＬＩＳＩＯＮを受信した場合、端末は、ｇｒａｎｔ−ｆｒｅｅ  ｒｅｓｏｕｒｃｅ  ｐｏｏｌで他のリソースを設定するか、或いはｒｅｓｏｕｒｃｅが繰り返し伝送によって変わると他のｒｅｓｏｕｒｃｅを選択して引き続き繰り返し伝送を行うことができる。端末が基地局からＤＴＸを受信した場合、端末は、電力、ビームなどの伝送パラメータを変更できる。
【０２２８】
−端末が基地局からＮＡＣＫ及び／又はＣＯＬＬＩＳＩＯＮ及び／又はＤＲＸを受信した場合、端末は、繰り返し伝送回数をＴ１ほど追加（又は増加）して繰り返し伝送を行うことができる。
【０２２９】
−端末がある閾値（臨海値）（threshold value）Ｔ２以上に繰り返し伝送を行う場合、端末は、基地局からＮＡＣＫを受信すると、次の繰り返し伝送からはデータの他のリダンダンシ（冗長度）バージョン（redundancy version）を伝送することができる。
【０２３０】
−端末が最後の繰り返し伝送に対してＮＡＣＫ／ＣＯＬＬＩＳＩＯＮを受信した場合、端末は、進行中の繰り返し伝送を中断し、初期伝送から再度新しく伝送を開始する。
【０２３１】
−端末が最後の繰り返し伝送に対してＮＡＣＫ／ＣＯＬＬＩＳＩＯＮを受信したか或いは最後の繰り返し伝送時点をＮとしたとき、Ｎ＋ＫまでＡＣＫを受信できないと、端末は、繰り返し伝送回数をＴ１ほど追加（又は増加）して繰り返し伝送を行うことができる。ここで、Ｋは０より大きいか又は等しい値を有するスケジューリング時間単位である。
【０２３２】
＜Ｂ＞  Ａ／Ｎ  ｔｒａｎｓｍｉｓｓｉｏｎ  ｏｎｌｙ  ｆｏｒ  ｅｎｄ  ｏｆ  ｒｅｐｅｔｉｔｉｏｎ
【０２３３】
−端末が基地局からＮＡＣＫ／ＣＯＬＬＩＳＩＯＮを受信した場合、端末は、進行中の繰り返し伝送を中断し、初期伝送から再度新しく伝送を開始する。
【０２３４】
−端末が基地局からＮＡＣＫ／ＣＯＬＬＩＳＩＯＮを受信したか或いは最後の繰り返し伝送時点をＮとしたとき、Ｎ＋ＫまでＡＣＫを受信できないと、端末は、繰り返し伝送回数をＴ１ほど追加（又は増加）して繰り返し伝送を行うことができる。ここで、Ｋは、０より大きいか又は等しい値を有するスケジューリング時間単位である。
【０２３５】
＜Ｃ＞  Ａ／Ｎ  ｔｒａｎｓｍｉｓｓｉｏｎ  ｐｅｒ  ｒｅｐｅｔｉｔｉｏｎ、ＮＡＣＫ  ｔｒａｎｓｍｉｓｓｉｏｎ  ｏｎｌｙ  ｆｏｒ  ｔｈｅ  ｅｎｄ  ｏｆ  ｒｅｐｅｔｉｔｉｏｎ
【０２３６】
−端末が基地局からＡＣＫを受信した場合、端末は繰り返し伝送を中断する。端末が基地局からＮＡＣＫを受信した場合、端末は、上述した＜Ｂ＞の動作のうちのいずれかによって動作する。
【０２３７】
＜Ｄ＞  ＡＣＫ  ｔｒａｎｓｍｉｓｓｉｏｎ  ｆｏｒ  ｔｈｅ  ｆｉｒｓｔ  ｓｕｃｃｅｓｓ，  ＮＡＣＫ  ｔｒａｎｓｍｉｓｓｉｏｎ
【０２３８】
−端末が基地局からＡＣＫを受信した場合、端末は繰り返し伝送を中断する。端末が基地局からＮＡＣＫを受信した場合、端末は、上述した＜Ｂ＞の動作のうちのいずれかによって動作する。
【０２３９】
上述した動作において、端末が新しい伝送を開始する場合、新しい伝送によるデータは、以前の伝送と全く同じデータであるか、以前の伝送で使用された伝送ブロックの他のリダンダンシバージョンであるか、或いは以前の伝送とは関係ない新しい伝送ブロックのデータである。
【０２４０】
この動作において、端末の繰り返し伝送回数が変わる場合、端末は、追加された繰り返し回数に対して他のリダンダンシバージョンを使用できる（即ち、端末は、追加された繰り返し回数を通じてデータの他のリダンダンシバージョンを伝送できる）。
【０２４１】
フィードバックが伝達されたＡ／Ｎチャネルによって、端末は、上述した動作を同一又は相異なるように行うことができる。一例として、端末は、第１タイプリソースを通じて受信したフィードバックと第２タイプリソースを通じて受信したフィードバックとを区別して、各々に対して異なる動作を行ったり同じ動作を行ったりする。
【０２４２】
上述した＜Ａ＞の動作において、追加繰り返し伝送回数Ｔ１、閾値Ｔ２及び時間Ｋは、端末と基地局との間のシグナリングによって決定されるか、端末のハードウェア特性によって決定されるか、或いは伝送されるデータのレイテンシ（遅延）要求値（latency requirement）によって制限される。このとき、端末と基地局とのシグナリングとは、ｒｅｓｏｕｒｃｅ  ｓｐｅｃｉｆｉｃ／ＵＥ−ｓｐｅｃｉｆｉｃ／Ｇｒｏｕｐ−ｓｐｅｃｉｆｉｃの上位層シグナリング又はＤＣＩ／Ｇｒｏｕｐ  ＤＣＩなどを意味する。
【０２４３】
３．２．Ａ／Ｎチャネル伝送に基づく非同期タイミング（Asynchronous timing based A/N channel transmission）
【０２４４】
第２タイプリソースがＡ／Ｎチャネルとして使用される場合、無線リソースの柔軟な使用などのために非同期Ａ／Ｎ伝送が必要である。より具体的には、時間Ｎに伝送されたフィードバックは、一定時間範囲Ｎ−１からＮ−Ｋまでの伝送に対するフィードバック、又はそのうちの一部のフィードバックを示す。このとき、Ａ／Ｎ信号伝送は、以下のように行われる。
【０２４５】
（１）  基地局が端末にＡ／Ｎ信号を伝達するとき、Ａ／Ｎ信号はタイミング情報を含む。より具体的には、フィードバックは、Ａ／Ｎ信号及び時間情報Ｋを含むリソース情報Ｒを含むことができ、フィードバックを受信した端末は、この情報に基づいて該当フィードバックをＮ−ＫのリソースＲにおける上りリンク伝送に対するフィードバックと見なすことができる。
【０２４６】
（１−１）  時間情報Ｋは、端末が伝送するデータの特性によって自律的に決定される。一例として、端末が伝送するデータのサービスタイプによってフィードバックを受信するリソースの時間的位置（time-domain location）が異なる。
【０２４７】
（１−２）  端末がｇｒａｎｔ−ｆｒｅｅ伝送に使用するパラメータに基づいてｇｒａｎｔ−ｆｒｅｅ伝送に使用するｔｉｍｅ／ｆｒｅｑｕｅｎｃｙリソースを決定する場合、基地局は、端末にＡ／Ｎタイミングの時間情報Ｋ又はリソース情報Ｒを特に伝達しない。その代わりに、端末は、Ａ／Ｎ信号に含まれた伝送パラメータに基づいて時間情報Ｋ又はリソース情報Ｒを決定することができる。
【０２４８】
より具体的には、端末がｇｒａｎｔ−ｆｒｅｅの伝送時に使用するＨＡＲＱプロセスＩＤは、端末が使用するｇｒａｎｔ−ｆｒｅｅ  ｒｅｓｏｕｒｃｅのスロット番号、サブフレームの番号又はＲＢインデックスによって区別される。これにより、基地局は、端末が伝送するｇｒａｎｔ−ｆｒｅｅ伝送のＨＡＲＱプロセスＩＤを初期伝送、繰り返し伝送の区別なしで判断することができる。
【０２４９】
一例として、端末Ａがスロット［ａ，ｂ，ｃ，ｄ］において、ＨＡＲＱプロセスＩＤ  Ｈ１に該当するＴＢのみを伝送する場合、基地局は、該当スロットで伝送される端末Ａのｇｒａｎｔ−ｆｒｅｅ伝送を全てＨＡＲＱプロセスＩＤ  Ｈ１と仮定できる。端末は、Ａ／Ｎ信号に含まれたＨＡＲＱプロセスＩＤのフィールドを通じて該当Ａ／Ｎ信号がスロット［ａ，ｂ，ｃ，ｄ］から伝達されたｇｒａｎｔ−ｆｒｅｅ伝送に対するＡ／Ｎ信号であることを把握できる。特に、ＵＬグラントを介してＡ／Ｎが伝達され、ｇｒａｎｔ−ｆｒｅｅ（伝送）とｇｒａｎｔ−ｂａｓｅｄ（伝送）とが分離された（を区別できる）ＨＡＲＱプロセスを使用する（が使用される）場合（when A/N is transmitted through UL grant and an HARQ process capable of distinguishing between grant-free transmission and grant-based transmission is used）、ＵＬグラントは、（ｇｒａｎｔ−ｆｒｅｅ（伝送）とｇｒａｎｔ−ｂａｓｅｄ（伝送）とを）区別するための指示又は各々のＨＡＲＱプロセスＩＤを示す２つのフィールドを含むことができる。
【０２５０】
（１−３）  端末がｇｒａｎｔ−ｆｒｅｅ伝送に使用するパラメータによってｇｒａｎｔ−ｆｒｅｅ伝送に使用するｔｉｍｅ／ｆｒｅｑｕｅｎｃｙリソースが決定される場合、基地局は、ある区間ＮからＮ＋Ｌにおいて同一のＴＢが伝送されると仮定できる。この場合、端末は、該当区間からあるｔｉｍｉｎｇ  ｏｆｆｓｅｔ  ｋほど離れた区間Ｎ＋ｋからＮ＋Ｌ＋ｋに伝送されたフィードバックを該当ＴＢの最後の伝送に対するフィードバックであると見なすことができる。一例として、端末がｇｒａｎｔ−ｆｒｅｅ初期伝送を所定の周期的なｇｒａｎｔ−ｆｒｅｅ  ｒｅｓｏｕｒｃｅで行い、所定のｇｒａｎｔ−ｆｒｅｅ  ｒｅｓｏｕｒｃｅで繰り返し伝送を行う場合、基地局は、初期伝送リソースの間のｉｎｔｅｒｖａｌの間に同一のＴＢが伝送されると仮定できる。又は、初期伝送のためのｇｒａｎｔ−ｆｒｅｅ  ｒｅｓｏｕｒｃｅの信頼度が高い場合、基地局は、初期伝送の受信後から新しい初期伝送が受信されない一定時間の間又は新しい初期伝送が受信されるまでには同一のＴＢが伝送されていると仮定できる。このとき、端末は、同一のＴＢが伝送されていると仮定される時間区間又は該当時間区間から特定のｏｆｆｓｅｔほど離れた時間区間に伝達されるフィードバックを該当ＴＢのフィードバックと見なすことができる。
【０２５１】
（２）  基地局が端末にＡ／Ｎ信号を伝達する場合、Ａ／Ｎ信号は、伝送時間ごとのＡ／Ｎを示す、一定（の数）のビーム（ビット）の長さ（bit length）のＡ／Ｎ  ｂｉｔｍａｐを含むことができる。より具体的には、リソース情報Ｒ及びｂ１，ｂ２，ｂ３，…，ｂｎからなるＡ／Ｎ信号を含むフィードバックを受信した端末は、各々ｂｋ（ｋ＝１，２，…，ｎ）をｒｅｓｏｕｒｃｅ  Ｒにおける異なる時点の上りリンク伝送に対するフィードバックであると見なすことができる。ここで、各々のビット情報と時点との間の連関性は、端末と基地局とのシグナリングによって設定できる。
【０２５２】
上述したフィードバックの伝送方法において、端末は、同期タイミング（synchronous timing）を有するＡ／Ｎ伝送と類似した動作を行うことができる。
【０２５３】
但し、非同期方式では、端末の伝送に対するフィードバックの伝送時点が決まっていないので、端末がどのタイプのＡ／Ｎリソースを使用するかに関係なく、端末がある信号伝送に対するフィードバックを待つために端末の動作を保留する（defer）必要がある。これにより追加遅延時間が発生し得る。
【０２５４】
よって、このような遅延時間を抑えるために、端末は、以下のように動作することができる。
【０２５５】
＜Ａ＞  端末が伝送ブロックＴＢ１に対する伝送は完了したが、最後の繰り返し伝送に対するフィードバックを受信できなかった場合、端末は、該当フィードバックを受信せず伝送ブロックＴＢ１の伝送を再び開始する。
【０２５６】
＜Ｂ＞  端末が伝送ブロックＴＢ１に対する伝送は完了したが、最後の繰り返し伝送に対するフィードバックを受信できなかった場合、端末は、該当フィードバックを受信せず次の伝送ブロックであるＴＢ２の伝送を開始する。
【０２５７】
３．３．第２タイプリソースに関する情報（Information of resource type2）
【０２５８】
基地局が第２タイプリソースであるＡ／Ｎ伝送リソースを活用して、ある信号伝送に対するＡ／Ｎ信号を伝達する場合、基地局は、該当Ａ／Ｎ伝送リソースを通じて基本的に以下のような要素を端末に伝達する。
【０２５９】
（１）信号伝送に対する基地局のフィードバック
【０２６０】
（２）信号伝送を試みたリソースの位置、又は対応するインデックス情報
【０２６１】
ここで、リソースの位置とは、リソースの物理的な位置だけではなく、該当リソースが拡散コード（spreading code）、スクランブルコード（scrambling code）、インターリーブパターン（interleaving pattern）、電力割り当て（power allocation）などの方法により複数の信号伝送に区分できる場合、該当多元接続（マルチ接続）（multiple access）方式のインデックスも含む。
【０２６２】
このとき、基地局は、ｒｅｓｏｕｒｃｅ  ｐｏｏｌを使用する複数の端末に該当端末の数、無線リソースのサイズ、トラフィック到着レート（traffic arrival rate）、ｃｏｌｌｉｓｉｏｎ頻度などに基づいて以下の方法のうちのいずれかを通じてＡ／Ｎ信号を伝達する。
【０２６３】
１）  基地局は、各々のリソースに対するフィードバックをビットマップ形態で伝達する。一例として、リソースＲ１，Ｒ２に対するフィードバックＦ１，Ｆ２は、［Ｆ１Ｆ２］のビットマップ形態で伝達される。複数の端末の無線リソース活用が高い場合、ビットマップ形態の伝送方法は、より低いシグナリングオーバーヘッドを有する。またビットマップ形態の伝送方法は、ＤＴＸ／ＣＯＬＬＩＳＩＯＮなどの情報を送る場合にも使用できる。
【０２６４】
２）  基地局は、各々のリソースのうち、フィードバック伝送が必要なリソースのインデックス及びこれに対応するフィードバック値のみを伝達できる。一例として、リソースＲ１，Ｒ２に対するフィードバックＦ１，Ｆ２は、［Ｒ１Ｆ１］の形態で伝達される。複数の端末の無線リソース活用が低い場合、このフィードバック伝送方法は、より低いシグナリングオーバーヘッドを有する。
【０２６５】
３）  基地局は、上記１），２）の方法の組み合わせでフィードバックを伝達することができる。一例として、物理リソースＰ１がｍｕｌｔｉｐｌｅ  ａｃｃｅｓｓ  ｓｃｈｅｍｅなどでｒ１，ｒ２，ｒ３，ｒ４に区分され、これらに対応するフィードバックＦ１，Ｆ２，Ｆ３，Ｆ４が伝送される場合、対応するフィードバック情報は、［Ｐ１Ｆ１Ｆ２Ｆ３Ｆ４］のような形態で伝達される。
【０２６６】
３．４．ＤＬ繰り返し伝送のためのＨＡＲＱ−ＡＣＫ（HARQ-ACK for DL repetition）
【０２６７】
本発明が適用可能なＮＲシステムにおいては、ＵＲＬＬＣ（Ultra Reliable and Low Latency Communication）をサポートできる。これにより、下りリンク状況でも低い遅延時間及び高い信頼度が必要になる。
【０２６８】
この場合、上りリンク伝送と同様に、基地局が端末に多数のスケジューリング時間単位で連続して信号を伝送することが考えられる。このとき、各々の信号伝送がｓｅｌｆ−ｄｅｃｏｄａｂｌｅであるか、或いは各々の信号伝送が互いに組み合わせられてデコードされる場合、端末は、各々の下りリンクの繰り返し伝送（DL repetition）、最後の繰り返し伝送、又はデコードに成功した信号伝送に対するフィードバックを伝送できる。このとき、端末は、上述した上りリンクフィードバック伝送方法において伝送方向のみを逆に変更した方法を使用してフィードバックを伝送できる。
【０２６９】
従来の無線通信システムにおいて、基地局が伝送する１つの下りリンクリソースの割り当てメッセージは、該当メッセージが伝送されたスケジューリング単位の無線リソースを示す。但し、本発明が適用可能なＮＲシステムにおいては、１つの下りリンクリソースの割り当て（DL assignment）メッセージは、複数のスケジューリング単位の無線リソースを示すか、或いは該当メッセージが伝達されたスケジューリング単位から任意の（ランダムな）（random）時間間隔ほど離れた位置の無線リソースを示す。
【０２７０】
下りリンク繰り返し伝送のために、基地局は、各々の繰り返し伝送ごとに下りリンクリソース割り当て（DL assignment）を伝送するか、或いは繰り返し伝送のための複数の無線リソースを１つのＤＬ割り当てとして示すことができる。又は、基地局の繰り返し伝送に対する無線リソースは、ＤＬ割り当てに含まれた情報によって暗黙的に決定される。
【０２７１】
端末は、ＤＬデータに対するＨＡＲＱ−ＡＣＫ伝送に対するｔｉｍｅ／ｆｒｅｑｕｅｎｃｙ／ｃｏｄｅリソース又はその一部に関する情報を動的に下りリンクスケジューリングを通じて受信する。このような上りリンク無線リソースに関する情報は、ある基準時間位置（reference time location）に対する相対的な時間位置及び周波数リソース情報又はこれに対するインデックスなどで表現される。
【０２７２】
これらの情報によって指定された（伝送）時点（transmission time）を決める原則は、以下の通りである。以下の方式は、端末に繰り返し伝送が設定されるか或いは単一伝送（single transmission）が設定された場合のいずれに対しても適用可能である。または（Alternatively）、以下の方式（オプション、options）は、繰り返し伝送ではない１つのデータ伝送が多重ｍｉｎｉ−スロット又は多重スロット（multi-slot）でスケジューリングされた場合にも適用できる。
【０２７３】
（１）  Ｏｐｔｉｏｎ  １
【０２７４】
ＤＬ割り当てに含まれたフィードバックリソースのタイミングは、ＤＬ割り当ての伝送時点又は受信時点に基づいて決定される。タイミングがＯＦＤＭシンボル単位で決定される場合、フィードバックリソースのタイミングはＤＬ割り当て又はＤＬ割り当てが受信される制御領域の最後のシンボルに基づいて決定される。又は、フィードバックリソースのタイミングは、準静的（semi-static）に指定された制御領域の最後のシンボルに基づいて決定されることができる。タイミングがスロット単位又はｍｉｎｉ−スロット単位で決定される場合は、フィードバックリソースのタイミングは、ＤＬ割り当てが受信されるスロット又はｍｉｎｉ−スロットに基づいて決定される。
【０２７５】
（２）  Ｏｐｔｉｏｎ  ２
【０２７６】
ＤＬ割り当てに含まれたフィードバックリソースのタイミングは、ＤＬ割り当てが示す下りリンクリソース（例えば、ＰＤＳＣＨ）の開始又は終了時点に基づいて決定される。タイミングがＯＦＤＭシンボル単位で決定される場合、フィードバックリソースのタイミングは、データ伝送の開始又は最終シンボルに基づいて決定されることができる。タイミングがスロット単位又はｍｉｎｉ−スロット単位で決定される場合は、フィードバックリソースのタイミングは、ＤＬ割り当てが受信されるスロット又はｍｉｎｉ−スロットに基づいて決定される。
【０２７７】
（３）  Ｏｐｔｉｏｎ  ３
【０２７８】
ＤＬ割り当てが繰り返し伝送のための多数の無線リソースを含む場合、対応するフィードバックリソース情報のタイミングは、それらのうちの時間的に最後のリソースの開始又は終了時点に基づいて決定される。即ち、繰り返し伝送が終了した時点に基づいてフィードバックのタイミングを決定できる。
【０２７９】
（４）  Ｏｐｔｉｏｎ  ４
【０２８０】
ＤＬ割り当てが繰り返し伝送のための多数の無線リソースを含む場合、対応するフィードバックリソース情報のタイミングは、それらのうちの所定のＮ番目のリソースの開始又は終了時点に基づいて決定される。ここで、Ｎは、基地局により準静的に設定されるか、或いはＤＬ割り当てに含まれて伝達される。
【０２８１】
端末は、これらの方法のうちのいずれかを通じて下りリンク繰り返し伝送に対するフィードバック伝送を行うことができる。
【０２８２】
繰り返し伝送に対する各々の又は一部のフィードバックを伝送するために複数のフィードバックリソース割り当てが必要な場合、端末は、上記方法のうちのいずれか１つを通じて得たフィードバックリソース情報を一定時間間隔で繰り返してＫ´回使用することができる。
【０２８３】
上記方法により伝送される複数のＨＡＲＱ−ＡＣＫ伝送は、時間的に連続するか或いは連続しない（例えば、ＨＡＲＱ−ＡＣＫ間の時間間隔が異なる場合）。また繰り返されるＨＡＲＱ−ＡＣＫ伝送に関連した繰り返し伝送は、連続しないことができる。一例として、Ｋ´が繰り返し回数Ｋより小さい場合、端末は、任意の繰り返し伝送に対するＡ／Ｎ信号を伝送しないことができる。
【０２８４】
ここで、Ｋ´は、ｃｅｌｌ−ｓｐｅｃｉｆｉｃ／ＵＥ−ｓｐｅｃｉｆｉｃに基地局により準静的に決められるか、或いはＵＥ−ｓｐｅｃｉｆｉｃにＤＬ割り当てに含まれて伝達される。また、同一の繰り返し結束（バンドリング）（bundling）に対するＡ／Ｎ伝送間の時間間隔は、基地局によって（例えば、Higher layer signaling or DCI Indication）指示されることができる。
【０２８５】
このような構成は、下りリンクに対するＡ／Ｎフィードバックの設定又は解釈方法の他に、グラントに基づくＵＬ伝送に対するＡ／Ｎフィードバックの設定又は解釈方法にも拡張適用できる。この場合、上述したＤＬ割り当てはＵＬグラントに代替されて適用できる。
【０２８６】
３．５．グラントの無いＵＬ伝送におけるＨＡＲＱプロセスＩＤの決定（HARQ process ID determination in UL transmission without grant）
【０２８７】
端末が基地局からＵＥ−ｓｐｅｃｉｆｉｃ  ＤＣＩのような第１タイプリソースを通じてフィードバックを受信した場合、上述のようにフィードバックに対するＨＡＲＱプロセスの番号（数、number）（又はＨＡＲＱプロセスＩＤ）などによってＨＡＲＱ−ＡＣＫと上りリンク伝送との間のリンクが決定される。
【０２８８】
この場合、端末が自ら自体の上りリンク伝送のＨＡＲＱプロセス番号（又はＨＡＲＱプロセスＩＤ）を決定する必要がある。このように決定されたＨＡＲＱプロセス番号（又はＨＡＲＱプロセスＩＤ）は、基地局が該当伝送をデコードする前に分かるべきであるので、端末は、ＨＡＲＱプロセス番号に関する情報を基地局と端末とが共通して有している情報により得ることができる。
【０２８９】
端末の繰り返し伝送と繰り返し伝送との間のＨＡＲＱの組み合わせ（combining）（例えば、Ｉｎｃｒｅｍｅｎｔａｌ  ｒｅｄｕｎｄａｎｃｙ方式のＨＡＲＱの組み合わせ）を考慮する場合、端末は、ＨＡＲＱプロセス番号と共に繰り返し伝送の順序も得る必要がある。
【０２９０】
一例として、あるＴＢインデックス、ＨＡＲＱプロセス番号（又はＨＡＲＱプロセスＩＤ）、繰り返し伝送の手順などを示す方法として、以下の方法を活用できる。
【０２９１】
（１）Ｏｐｔ．１：  Ｔｉｍｅ  ｒｅｓｏｕｒｃｅ  ｉｎｄｅｘ  ｕｓｅｄ  ｉｎ  ＵＬ  ｔｒａｎｓｍｉｓｓｉｏｎ  ｗｉｔｈｏｕｔ  ｇｒａｎｔ
【０２９２】
（２）Ｏｐｔ．２：  Ｆｒｅｑｕｅｎｃｙ  ｒｅｓｏｕｒｃｅ  ｉｎｄｅｘ  ｕｓｅｄ  ｉｎ  ＵＬ  ｔｒａｎｓｍｉｓｓｉｏｎ  ｗｉｔｈｏｕｔ  ｇｒａｎｔ
【０２９３】
（３）Ｏｐｔ．３：  ＤＭ−ＲＳ  ｓｅｑｕｅｎｃｅ  ｏｒ  ｐａｒａｍｅｔｅｒ  ｕｓｅｄ  ｉｎ  ＵＬ  ｔｒａｎｓｍｉｓｓｉｏｎ  ｗｉｔｈｏｕｔ  ｇｒａｎｔ
【０２９４】
（４）Ｏｐｔ．４：  ＵＣＩ  ｏｎ  ｓｅｌｆ−ｄｅｃｏｄａｂｌｅ  ｃｈａｎｎｅｌ
【０２９５】
上記Ｏｐｔ．１〜３が使用される場合、ｇｒａｎｔ−ｆｒｅｅ  ｒｅｓｏｕｒｃｅを共有可能な最大の端末の数が減少する。一例として、ＤＭ−ＲＳシーケンスの総数が８つであり、これらにより各々の端末を区別すると仮定する。このとき、ＤＭ−ＲＳを通じて２つのＨＡＲＱプロセス番号［０，１］を指示（表示）（indicate）すべき場合、ＤＭ−ＲＳシーケンスでは最大４つの端末だけを区別できる。
【０２９６】
但し、かかる問題は、時間又は周波数リソースを２倍に使用することにより解決できる。このようにＯｐｔ．１〜３を使用して発生する端末収容量（amount of accommodated UEs）の減少は、他のドメインリソースを使用することにより解決できる。
【０２９７】
但し、ＤＭ−ＲＳの場合、端末の収容量を任意に増やすことが困難である。よって、ＤＭ−ＲＳの場合、端末の収容量の減少を解決するために、ＲＳシーケンスの追加使用が必要であり、そのためにさらなるＲＳリソース領域が必要である。
【０２９８】
端末の繰り返し順序のための多様性（diversity）の利得と端末の伝送電力とを考慮したとき、端末及び基地局は、上述したＯｐｔ．１を基本とした上で、必要に応じてＯｐｔ．２を使用できる。
【０２９９】
端末のＨＡＲＱプロセス番号（又はＨＡＲＱプロセスＩＤ）は、上述したオプションとは関係ないこともある。但し、端末が同時に２つ以上の伝送ブロックを伝送しない限り、Ｏｐｔ．１を使用した方が利得が良い。
【０３００】
端末がＯｐｔ．４を使用する場合、他のオプションに比べて情報をより柔軟に示すことができるが、ＴＢインデックスのサイズによって大きいオーバーヘッドが発生することができる。
【０３０１】
以下、上述したＯｐｔ．１〜３を使用して端末がＮ個の情報を表示する方法の例について詳しく説明する。
【０３０２】
１）  基地局は、Ｏｐｔ．１によってＮ個の上りリンクリソースを周期的に割り当てることができる。これにより、端末は、割り当てられた上りリンクリソースを通じて上りリンク信号（例えば、ｇｒａｎｔ−ｆｒｅｅ上りリンク信号）を伝送できる。この方法は、Ｎ個のＨＡＲＱプロセスを使用する端末に対して周期を有する上りリンクリソースがＮ個割り当てられ、各々のリソースを通じた端末の信号伝送によって基地局がどのＨＡＲＱプロセスであるかを把握する方法である。
【０３０３】
２）  基地局は、Ｏｐｔ．２によってＮ個の互いに異なる周波数領域の上りリンクリソースを割り当てることができる。これにより、端末は、割り当てられた互いに異なる周波数領域の上りリンクリソースを通じて上りリンク信号（例えば、ｇｒａｎｔ−ｆｒｅｅ上りリンク信号）を伝送できる。この方法は、Ｎ個のＨＡＲＱプロセスを使用する端末に対して互いに異なる周波数領域の上りリンクリソースがＮ個割り当てられ、各々のリソースを通じた端末の信号伝送によって基地局がどのＨＡＲＱプロセスであるかを把握する方法である。
【０３０４】
３）Ｏｐｔ．３によって、端末は、Ｎ個の互いに異なるＲＳ  ｓｅｑｕｅｎｃｅのうちのいずれかをユーザデータと共に伝送することができる。
【０３０５】
これらの方法において、互いに異なるリソースドメインを通じて副作用を補償（compensate）できる。よって、基地局は、このような影響を考慮して端末に対する設定を行うことができる。
【０３０６】
また、上記方法は、複数の情報を表現するために同時に使用できる。一例として、Ｎ個のＨＡＲＱプロセスとＭ個の繰り返し順序とを示すために、端末は、Ｏｐｔ．１を使用してＮ個のＨＡＲＱプロセスを示し、Ｏｐｔ．３を使用して繰り返し順序を示すことができる。これに対応して、基地局は、Ｏｐｔ．１を使用してＮ個のＨＡＲＱプロセスを示し、Ｏｐｔ．３を使用して繰り返し順序を示すことを端末と約束することができる。
【０３０７】
端末は、各々の情報を示すために、同じ方法を重複して使用できる。
【０３０８】
図１１及び図１２は、本発明の一例によるＨＡＲＱプロセスＩＤ（又はＨＡＲＱプロセス番号）と周期的に割り当てられたリソースとの関係を示す図である。
【０３０９】
図１１及び図１２に示したように、端末は、Ｎ個のＨＡＲＱプロセス番号（又はＨＡＲＱプロセスＩＤ）及びＭ個の繰り返し順序を示すために、Ｏｐｔ．１を使用できる。以下、図１１及び図１２において、ＨｘはＨＡＲＱプロセス番号ｘ（又はＨＡＲＱプロセスＩＤ＝ｘ）を意味し、Ｒｘは繰り返し順序＝ｘを意味する。
【０３１０】
このために、基地局及び端末は、割り当てられるリソース及び各々のリソースに対するＨＡＲＱプロセス番号（又はＨＡＲＱプロセスＩＤ）及び繰り返し順序は、図１１又は図１２のように設定されると互いに約束できる。これにより、図１１又は図１２のように、基地局は、Ｎ個の周期的なリソース（Ｈｘに対応するＲ１，Ｒ２，Ｒ３，ｘ＝１，２，３）をＭ回（Ｍ＝３）端末に割り当てることができる。
【０３１１】
ＵＥ−ＩＤ（例えば、Ｃ−ＲＮＴＩ）又はＴＢインデックス（例えば、ＨＰＮ（HARQ Process Number）及び繰り返し順序）などを区別する方法において、区別のために使用するリソースのドメインによって得られる効果が異なる。
【０３１２】
他の例として、上述したように多様性を得るためには、あるリソースドメインの使用は禁止（止揚）（prohibited）（又は制限（restricted））する必要がある。
【０３１３】
なお、ｇｒａｎｔ−ｆｒｅｅ  ｒｅｓｏｕｒｃｅを共有する端末の数又はトラフィック（トラピック）（traffic）の特性によって効果的な設定が異なる。よって、ｇｒａｎｔ−ｆｒｅｅ  ｒｅｓｏｕｒｃｅ  ｃｏｎｆｉｇｕｒａｔｉｏｎを通じてＵＥ−ＩＤ、ＴＢインデックスを区別する場合、ネットワークは、使用するリソースドメインを状況によって適切に選択できる。
【０３１４】
繰り返し伝送を考慮する場合、基地局は、端末が伝送したＴＢのＴＢインデックスをより効果的に分かる（取得する）（obtain）ために、端末がＴＢインデックスを示すときに使用する方法と分かったＴＢインデックスに基づいて再伝送グラントを伝送する方法とをさらに考えることができる。このとき、本発明によれば、以下の方法を適用できる。
【０３１５】
＜１＞（ｓｅｐａｒａｔｉｎｇ  ｔｒａｎｓｍｉｓｓｉｏｎ  ｂｅｔｗｅｅｎ  ｉｎｉｔｉａｌ  ａｎｄ  ｒｅｐｅｔｉｔｉｏｎ）端末がＴＢインデックスを示す（場合）において、端末は、繰り返し順序を全部示さず、初期伝送と繰り返し伝送とを区別して示すことができる。この場合、繰り返し順序（initial or not）を除いた他のＴＢ情報（例えば、ＨＰＮ）は、偏に（単に、only）初期伝送によってのみ決定できる。初期伝送と繰り返し伝送との間に所定のパターンが存在するとき、基地局は、端末の初期伝送を感知して繰り返し伝送の有無と伝送された繰り返し伝送のＴＢ情報とを決定できる。上記方法を適用する（場合）において、初期伝送が受信されず基地局が繰り返し伝送のＴＢ情報を決定できない場合は、さらに以下の方法を使用できる。
【０３１６】
−初期伝送を含むＫ個の繰り返し伝送のうち、初期伝送のみが受信されず、連続するＫ−１個の繰り返し伝送を受信したか、或いは繰り返し伝送が初期伝送のＴＢ情報にマッピングされるあるパターンを有している場合、基地局は、これらの情報から推定されるＴＢインデックスを繰り返し伝送のＴＢ情報として仮定することができる。一例として、あるパターンの例示としては、初期伝送可能なリソース間にｉｎｔｅｒｖａｌがある場合、該当ｉｎｔｅｒｖａｌ内における繰り返し伝送は１つのＴＢにマッピングされると仮定でき、対応する繰り返し伝送が受信された場合は、最も近接した初期伝送リソースに基づいてＨＡＲＱプロセスＩＤを算出できる例が適用されることができる。
【０３１７】
−基地局がある信号伝送のＴＢインデックスを正確に推定できなくても、あるパターン又は関係を通じてある伝送バンドル（束）（transmission bundle）が同一のＴＢに対する伝送バンドルであることを確認できる場合（例えば、ＴＢ間にＫ−１ほどのｔｒａｎｓｍｉｓｓｉｏｎ  ｏｃｃｕｒｒｅｎｃｅを常に伝送しないので受信した繰り返し伝送が同一のＴＢであることを把握できる場合）、基地局は、再伝送のために任意のＴＢインデックスとｇｒａｎｔ−ｆｒｅｅ伝送の受信タイミングとを使用して端末に該当ＴＢの再伝送要求を示すことができる。このとき、任意のＴＢインデックスは、端末が使用するＴＢインデックス値のうちのいずれか１つが任意に選択されるか、或いはｕｎｋｎｏｗｎ  ＴＢインデックスを意味する特定のＴＢインデックスに設定されることができる。他の例として、初期伝送及び繰り返し伝送が１つのスロット又はＭ個のスロット内にのみ存在すると仮定するか、或いは初期伝送及び繰り返し伝送が行われるスロット内のｍｉｎｉ−スロットリソースが各々のスロットごとに同様に使用されると仮定する場合、端末又は基地局は、同じスロット又はＭ個のスロット内で伝送される初期伝送又は繰り返し伝送のＨＡＲＱが同じであると仮定するか、又はｍｉｎｉ−スロットインデックスが同一である伝送の全て（同士）でＨＡＲＱが同一である（all transmission with the same mini-slot index has the same HARQ）と仮定できる。この場合、ＨＡＲＱプロセスＩＤを変更するために、端末は、他のスロット又は他のＭ（個の）スロットを使用するか、或いは他のｍｉｎｉ−スロットインデックスを使用して信号を伝送できる。一例として、Ｋ個のＨＡＲＱプロセスをサポートする場合、基地局は、１つのスロット内のＫ個のｇｒａｎｔ−ｆｒｅｅ  ｒｅｓｏｕｒｃｅを割り当て、スロット内のｍｉｎｉスロットインデックスによってＨＡＲＱプロセスインデックスを決定できる。
【０３１８】
−基地局が初期伝送を受信できなかった場合、基地局は、初期伝送以外に受信した他の信号伝送（例えば、repetition）も全て受信できなかったと仮定できる。
【０３１９】
＜２＞  （Ｎｏ  ｓｏｆｔ  ｃｏｍｂｉｎｉｎｇ  ａｍｏｎｇ  ｒｅｐｅｔｉｔｉｏｎ）端末がＴＢインデックスを示す（場合）において、端末は、該当信号伝送が同一のＴＢに対するものであるか否かを区別せず、全ての信号伝送に対して独立したＴＢインデックスを示すことができる。一例として、端末があるＴＢに対して４回の繰り返し伝送を行うとき、この４回の伝送はいずれも異なるＴＢインデックスを有することができる。基地局は、受信したＴＢの再伝送のために、ＴＢインデックスを示すか或いは任意のＴＢインデックスと共にｇｒａｎｔ−ｆｒｅｅ伝送の受信タイミングを示すことができる（inform the reception timing of grant-free transmission with a random TB index）。このとき、基地局は、同一のＴＢに対する多数の伝送を別々にデコードするので、一部の信号伝送が成功してもその他の信号伝送に対しては再伝送を要求することができる。この場合、伝送成功に対する明示的なフィードバックが必要である。また、デコードの後に基地局が該当ＴＢが同一のＴＢであるか否かを判断できるように、ＴＢ情報がＴＢに含まれて（例えば、MAC header）伝送される方法を適用できる。また、端末は、同一のＴＢに対して複数のＨＡＲＱプロセスを実行するので、基地局から同一のＴＢに対して異なるＴＢインデックス（例えば、ＨＰＮ）を有する複数のＵＬ  ｇｒａｎｔを受信することができる。このとき、端末は、さらに以下の方法を使用できる。
【０３２０】
−端末は、最初に発生するＵＬグラントを介して再伝送を行い、その他の同一のＴＢに対するグラントを無視できる。遅延時間の側面において、端末は、自体が伝送したＴＢの伝送成功について確信できないので、先に受信したＵＬグラントについて優先して動作を行う。
【０３２１】
−高い伝送成功率を得るために、端末は、受信した全てのＵＬグラントについて再伝送を行うことができる。基地局から同一のＴＢに関連する信号伝送のうちの１つに対して伝送成功フィードバックを受信した場合、端末は、その後に受信するＵＬグラントを無視することができる。
【０３２２】
−端末は、最後のフィードバックまで伝送成功したか否か（有無）の受信を待つことができる。次いで、全ての信号伝送が失敗したと判断された場合、端末は、最後に受信したＵＬグラントを使用して再伝送を試みる。
【０３２３】
＜３＞（Ｉｎｄｉｃａｔｉｎｇ  ＮＤＩ  ａｓ  ＴＢ  ｉｎｄｅｘ）  端末がＴＢインデックスを示すに（場合）おいて、端末は、常に連続した信号伝送に対して１つのＴＢをマッピングすることができる。即ち、端末は、互いに異なるＴＢに対する伝送を交互に行わないことができる。これにより、後に伝送されるＴＢを以前のＴＢと区別することができる。一例として、以前の伝送と異なるＴＢを伝送する場合、端末は、互いに異なる時間リソース、周波数リソース又はＲＳパラメータを使用できる。基地局は、端末の再伝送のために受信したＵＬ伝送のうち、１つの信号伝送に対する受信タイミングを示すことができる。該当ＵＬ伝送は、同一のＴＢにマッピングされたＵＬ伝送のうち、最初、最後或いは任意の信号伝送になり得る。
【０３２４】
上述した動作において、基地局がｇｒａｎｔ−ｆｒｅｅ伝送の受信タイミングを示す方法としては、上述した３．１．及び３．２．に記載したフィードバック及び伝送を示す方法を同様に適用できる。また、受信タイミングを示す方法としては、ある基準点に対する相対的な時間オフセット値を使用できる。ここで、基準点は、フィードバックの伝送時点、ＳＦＮのようなあるフレーム、サブフレーム、スロットのあるインデックスなどになる。
【０３２５】
ＴＢインデックスを通じて各々の伝送の繰り返し順序を示す場合、繰り返し伝送番号（number of repetition）Ｋは、リソースの設定時に考慮する必要がある。一例として、端末が４回の繰り返し伝送を行う場合、基地局は、同一のＴＢのための４つ以上のリソースを設定しなければならない。このとき、繰り返し伝送番号ＫはＵＥ−ｓｐｅｃｉｆｉｃに設定される。
【０３２６】
したがって、多数の端末が１つのｔｉｍｅ／ｆｒｅｑｕｅｎｃｙ  ｒｅｓｏｕｒｃｅを共有する場合、各々の端末が互いに異なる繰り返し伝送番号Ｋを有することができる。この場合、以下の方法を適用できる。
【０３２７】
１＞各々の端末に対して、リソースを共有する端末が使用する繰り返し伝送番号Ｋのうち、最大値を基準として設定されたリソースが割り当てられる。一例として、端末Ａ，Ｂが各々Ｋ１、Ｋ２（Ｋ１＞Ｋ２）の繰り返し回数を使用するとき、端末Ａ，Ｂの両方ともにＫ１を基準として設定されたリソースが割り当てられる。このとき、端末Ｂは、設定されたリソースを使用してＫ２回の繰り返しを行った後、その他のリソースを空けることができる（即ち、使用しないことができる）。このとき、端末ＢがＫ１個のリソースのうちＫ２個のリソースを選択する方法は、ｈｉｇｈｅｒ  ｌａｙｅｒ  ｓｉｇｎａｌｉｎｇ又はＬ１  ｓｉｇｎａｌｉｎｇを通じて決定されるか或いは予め決定される。
【０３２８】
２＞端末が有し得る繰り返し伝送回数Ｋ値に制限があり、各々の端末に対して最小のＫ値によってリソースが割り当てられることができる。また、各々の端末は、入れ子式（nested）でリソースを使用できる。
【０３２９】
図１３は、本発明の一例によって繰り返し伝送回数によりリソースが割り当てられることを例示する図である。
【０３３０】
図１３に示したように、各々の端末が２，４，８のうちのいずれか１つのＫ値のみを使用できると仮定する。このとき、８回の伝送のためのリソースが割り当てられた場合、各々の端末は、Ｋが図１３のように割り当てられたリソースを使用できる。
【０３３１】
上述した１）の方法でのように、端末が割り当てられたリソースを通じて繰り返し（繰り替え）（repetitions）の順序を示す（場合）において、初期伝送と初期ではない伝送との２つのみを区別する方法が考えられる。遅延時間を考慮したとき、端末は、任意の時間に初期伝送を開始するためにＯｐｔ．１１を除いた他のオプションを使用できる。
【０３３２】
基地局が端末が伝送した初期伝送のＴＢインデックスを通じて端末の伝送開始を認知する場合、その後、基地局は、所定のパターンを通じて次の伝送の位置及び順序を分かることができる。よって、繰り返し順序を示すためのリソースＮ個は、実際に端末が行う繰り返し回数Ｋとは関係がない。
【０３３３】
なお、端末が繰り返し伝送は行うが、基地局が繰り返しの順序を分かる必要がない場合（例えば、Ｃｈａｓｅ  ｃｏｍｂｉｎｉｎｇ方法でＨＡＲＱ組み合わせ（HARQ combining）を行ってＨＰＮ（HARQ Process Number）以外の情報は不要な場合）、繰り返されるｒｅｐｅｔｉｔｉｏｎのためのプールのみが要求される。このとき、繰り返し伝送のためのリソースプールのサイズは、繰り返し伝送の回数Ｋとは関係なく設定できる。
【０３３４】
図１４乃至図１６は、初期伝送を含む３つの繰り返し伝送が設定される場合のリソース割り当ての例を簡単に示す図である。
【０３３５】
図１４乃至図１６において、Ｋより少ないリソースが使用される場合、多数のＨＡＲＱプロセスが作動することが有利である。また、ｇｒａｎｔ−ｆｒｅｅ伝送がＵＬグラントを介してｇｒａｎｔ−ｂａｓｅｄ伝送に転換されることを考慮したとき、端末は、中間のアイドル（有休）区間（idle interval）にｇｒａｎｔ−ｂａｓｅｄに転換して不要な繰り返し伝送を防止することができる。
【０３３６】
図１４に示したように、特定の端末がＫより大きい数のリソースを使用する場合、この特定の端末は、より多い区間でＫ個（回）の繰り返し（繰り替え）伝送（K repetitions）を連続して行うことができる。但し、この場合、同一のＨＰＮの次のリソースまで相対的に長い時間が必要である。よって、他の例によれば、図１５及び図１６のように、特定の端末は、レイテンシ境界（latency boundary）を考慮して同一のＨＰＮにマッピングされた後、リソースにおける繰り返し伝送を省略することができる。
【０３３７】
上述したように、初期伝送の（リソース）位置によってのみＨＡＲＱプロセスが決定される。この場合、端末がＫ  ｒｅｐｅｔｉｔｉｏｎを連続するｔｒａｎｓｍｉｓｓｉｏｎ  ｏｃｃａｓｉｏｎ（送信オケージョン）で行いながら２つ以上のＴＢを順に伝送するためには、さらなるＨＡＲＱプロセスＩＤのマッピング方法及び繰り返し伝送番号Ｋに対する考慮が必要である。
【０３３８】
図１７及び図１８は、端末が２つのＴＢ（ＴＢ１，ＴＢ２）を連続して伝送する動作を簡単に示す図である。このとき、図１７及び図１８に示したように、端末が２つのＴＢ（ＴＢ１，ＴＢ２）を連続して伝送するとき、繰り返し伝送番号（number of repetition）Ｋ及びＨＰＮの数（ＭＡＸ＿ＨＰＮ）を考慮しないと、以下のような問題が発生し得る。
【０３３９】
より具体的には、図１７では、Ｋ＝４、ＭＡＸ＿ＨＰＮ＝４である状況でＨＰＮが順にマッピングされた状況を示している。このとき、端末がＴＢ１に対してＨＰＮ１をマッピングして４回のｒｅｐｅｔｉｔｉｏｎを行う場合、次のｔｒａｎｓｍｉｓｓｉｏｎ  ｏｃｃａｓｉｏｎが再びＨＰＮ１に対応し、端末は、他のＨＰＮを有するｔｒａｎｓｍｉｓｓｉｏｎ  ｏｃｃａｓｉｏｎまで伝送を待機しなければならない。
【０３４０】
図１８では、ＨＰＮが連続するＮ個のｔｒａｎｓｍｉｓｓｉｏｎ  ｏｃｃａｓｉｏｎにマッピングされた状況を示している。図１８に示したように、Ｋより多いｔｒａｎｓｍｉｓｓｉｏｎ  ｏｃｃａｓｉｏｎが同一のＨＰＮにマッピングされる場合、図１７と同様に、端末は、他のＨＰＮにマッピングされたスロットまで信号伝送を待機しなければならない。
【０３４１】
このような端末の信号伝送待機は、さらなる遅延時間を発生させる。よって、重複するＨＰＮを避けることにより端末が信号伝送を待機する状況を減らすためには、以下の事項が考えられる。
【０３４２】
−ＮをＫより小さいか又は等しくする。但し、ＭＡＸ＿ＨＰＮが２の場合には、Ｎ＝Ｋである。
【０３４３】
−ＭＡＸ＿ＨＰＮ＊ＮをＫより大きくする。
【０３４４】
−ＫをＭＡＸ＿ＨＰＮ＊Ｎより大きくする場合、ＭＡＸ＿ＨＰＮ＊ＮはＫの約数（因数、factor）ではないようにする。
【０３４５】
−ＫとＭＡＸ＿ＨＰＮ＊Ｎが同一である場合、ＭＡＸ＿ＨＰＮ＊Ｎごとに異なるＨＰＮがマッピングされるようにする。一例として、Ｎ＝１、ＭＡＸ＿ＨＰＮ＝Ｋ＝４である場合、［０  １  ２  ３］［１  ２  ３  ０］［２  ３  ０  １］…のようなＨＰＮマッピング方法が考えられる。
【０３４６】
以上の条件を全て満足する最も簡単な方法として、ＭＡＸ＿ＨＰＮに関係なくＮ＝Ｋにするマッピング方法が考えられる。
【０３４７】
なお、上記条件のうちの一部のみを満足すると、端末が重複するＨＰＮを避けるためにＴＢ伝送を待機する場合を減らすことができる。したがって、ＨＰＮマッピングの柔軟性及び他の動作のために、上記条件のうちの一部のみを満足するマッピングも許容される。一例として、信号伝送の一部が受信されない状況においてＨＰＮを区別できない状況を避けるために、ＮはＫより大きく設定されることができる。
【０３４８】
端末が繰り返し伝送を行う場合、基地局がこれをｓｏｆｔ  ｃｏｍｂｉｎｉｎｇすることが考えられる。特に、基地局がＩｎｃｒｅｍｅｎｔａｌ  ｒｅｄｕｎｄａｎｃｙ方式のｓｏｆｔ  ｃｏｍｂｉｎｉｎｇを行う場合、端末は、各々の繰り返し伝送において異なるＲＶ（redundancy version）を使用して伝送できる。しかし、端末がグラントなしで信号を伝送する場合、基地局側では、端末がどのＲＶを使用したかを把握することができない。このために、端末と基地局との間で端末のｇｒａｎｔ−ｆｒｅｅ信号伝送で使用されるＲＶに対する約束が必要である。このとき、以下のような方法が適用できる。
【０３４９】
（Ａ）端末の伝送手順によって自動的に伝送されるＲＶが変わることができる。基地局が受信時点で端末の伝送手順を正確に把握できる場合（端末が所定の（時間）位置で常時伝送を開始して所定の規則によって繰り返し伝送を開始するか、端末がＫ回の繰り返し伝送時に各々の伝送の手順を（特に）示すか、或いは初期伝送の手順を所定のリソースを使用して示す場合など）、基地局は、端末の伝送手順に基づいてＲＶを類推してデコードを行うことができる。
【０３５０】
（Ｂ）端末が割り当てられたｇｒａｎｔ−ｆｒｅｅ  ｕｐｌｉｎｋ  ｒｅｓｏｕｒｃｅによって、端末が信号伝送時に使用するＲＶが決定されることができる（即ち、ｇｒａｎｔ−ｆｒｅｅ  ｕｐｌｉｎｋ  ｒｅｓｏｕｒｃｅとＲＶとの間のマッピング関係が設定される）。かかるマッピング関係は、端末が信号伝送時に使用するｔｉｍｅ及び／又はｆｒｅｑｕｅｎｃｙ  ｉｎｄｅｘによって決定されるか、或いは端末に割り当てられたリソースのｔｒａｎｓｍｉｓｓｉｏｎ  ｏｃｃａｓｉｏｎごとに所定のパターンによって変更される。パターンは、基地局のＬ１  ｓｉｇｎａｌｉｎｇ又はＲＲＣ  ｓｉｇｎａｌｉｎｇによって決定されるか、或いは予め決められる。
【０３５１】
上記（Ｂ）のような方法を使用する場合、端末が使用するＲＶパターンによって性能が変化する。
【０３５２】
一例として、端末に割り当てられたｇｒａｎｔ−ｆｒｅｅ  ｒｅｓｏｕｒｃｅは、システムの予約リソース（reserved resource）、ＲＡＣＨ（Random Access CHannel）、ＳＲＳ（Sounding Reference Signal）  ｃｏｎｆｉｇｕｒａｔｉｏｎ、ｄｙｎａｍｉｃ  ＴＤＤ（Time Division Duplex）などの様々な理由で使用不可能になることがある。このために端末が使用するＲＶパターンのうちの一部がドロップされる（漏れる）（dropped）ことがある。
【０３５３】
また、異なる端末が同時に信号を伝送する場合、基地局は、該当信号伝送を完全に受信できないことがある。
【０３５４】
一般に、ｓｙｓｔｅｍａｔｉｃ  ｂｉｔの伝送の有無は、ＴＢの受信性能にｄｏｍｉｎａｎｔした影響を与えるので、端末が伝送する繰り返し伝送のうち、ｓｙｓｔｅｍａｔｉｃ  ｂｉｔを多数含むＲＶの伝送がドロップされると、性能が大きく低下する。したがって、ｓｙｓｔｅｍａｔｉｃ  ｂｉｔを主に含むＲＶ０を少なくとも繰り返し伝送を１回以上（必要であればより多く）伝送するように設定する必要がある。よって、以下のような事項が考えられる。
【０３５５】
Ａ）ＲＶパターンにＲＶ０を多数含む。
【０３５６】
Ｂ）端末が同一のＴＢに対してＫ回のｒｅｐｅｔｉｔｉｏｎを行い、ＲＶパターンがｔｒａｎｓｍｉｓｓｉｏｎ  ｏｃｃａｓｉｏｎにマッピングされる場合、ＲＶパターンにＲＶ０、ｓｙｓｔｅｍａｔｉｃ  ｂｉｔを最も多く含むＲＶが少なくともＫ  ｔｒａｎｓｍｉｓｓｉｏｎ  ｏｃｃａｓｉｏｎのうち１回以上含むように設定される。又は、ＲＶパターンの長さがＫより短く設定される。
【０３５７】
Ｃ）端末が同一のＴＢに対してＫ回のｒｅｐｅｔｉｔｉｏｎを行い、ＲＶパターンがｒｅｓｏｕｒｃｅ  ｉｎｄｅｘにマッピングされる場合、端末又はｇｒａｎｔ−ｆｒｅｅ  ｃｏｎｆｉｇｕｒａｔｉｏｎごとに異なるマッピング（パターン）が適用される。このとき、適用されるマッピング（パターン）は、端末が使用するリソースの位置、周期などを考慮して基地局がＲＶ０を受信する可能性の高いマッピング（パターン）である。
【０３５８】
このようなＲＶパターンは、端末、ｇｒａｎｔ−ｆｒｅｅ  ｃｏｎｆｉｇｕｒａｔｉｏｎ又はセルごとに異なり、動作中にも変更できる。端末にＲＶパターンが割り当てられるか或いは動作中にＲＶパターンが変更された場合、端末が新しいＲＶパターンをある時点から使用するかについて、以下のような端末の動作が考えられる。
【０３５９】
＜Ａ＞ＲＶパターンがＬ１シグナリングによって決定される場合、端末は、Ｌ１シグナリングの受信時点から該当ＲＶパターンを使用できる。このとき、基地局は、Ｌ１シグナリングの受信確認のために端末からフィードバックを受信できる。
【０３６０】
＜Ｂ＞端末は、新しいＲＶパターンを使用する時点をシステムと共通に使用する時間リソースインデックスに基づいて決定できる。一例として、端末は、ＲＶパターンが受信されたＳＦＮ（System Frame Number）の次のＳＦＮからＲＶパターンを使用することができる。又は、端末は、ＳＦＮ０又は現在のＳＦＮを基準として提供されるオフセット情報に基づいてＲＶパターンの適用時点を決定することができる。
【０３６１】
＜Ｃ＞ＲＶパターンは、ｇｒａｎｔ−ｆｒｅｅ  ｒｅｓｏｕｒｃｅ  ｃｏｎｆｉｇｕｒａｔｉｏｎによって決められるか、或いはこれと同一又は類似するメッセージによって設定されることができる。このとき、端末は、ｇｒａｎｔ−ｆｒｅｅ  ｒｅｓｏｕｒｃｅの適用時点と同一の時点で新しいＲＶパターンを使用できる。
【０３６２】
さらに、基地局がＲＶパターンに対するシグナリングを行う場合、これに対するフィードバックが特に存在しない。このとき、基地局は、２つのＲＶパターン（例えば、以前のＲＶパターン、新しいＲＶパターン）の両方に対してブラインドデコードを行うことができる。
【０３６３】
端末が伝送した合計Ｋ個の信号伝送のうち、初期伝送が基地局に伝達されず以後の繰り返し伝送のみが基地局に伝達された場合、基地局は、全ての繰り返し伝送Ｋ−１個が全部受信されない限り、該当繰り返し伝送のＨＡＲＱプロセス番号を特定することができない。したがって、上記のように初期伝送が受信されなかった場合、以後の繰り返し伝送は基地局から無視される。
【０３６４】
初期伝送が受信されない確率が十分に低い場合、上記のような影響は十分に無視される。さらに初期伝送が受信されない確率を減らすために、以下の方法が考えられる。
【０３６５】
Ａ＞Ｎｏｎ−Ｓｙｍｍｅｔｒｉｃ  ＲＳ  ｓｅｑｕｅｎｃｅ
【０３６６】
初期伝送と繰り返し伝送とを互いに異なるＲＳ  ｓｅｑｕｅｎｃｅで区別する場合、初期伝送に使用されるＲＳ  ｓｅｑｕｅｎｃｅは、繰り返し伝送に使用されるＲＥ  ｓｅｑｕｅｎｃｅよりｒｏｂｕｓｔに割り当てられる。互いに異なるｃｙｃｌｉｃ  ｓｈｉｆｔｅｄ  ＲＳを使用して初期伝送及び繰り返し伝送が区別される場合、初期伝送に使用されるＲＳのＣＳ  ｇａｐは、繰り返し伝送に使用されるＲＳのＣＳ  ｇａｐより大きく設定される。
【０３６７】
図１９及び図２０は、本発明に適用可能な初期伝送及び繰り返し伝送に対して適用可能なＣＳ  ｇａｐを簡単に示す図である。
【０３６８】
図１９では、初期伝送と繰り返し伝送とに使用される全てのＲＳ  ｓｅｑｕｅｎｃｅが同一のＣＳ  ｇａｐを有する構成を示す。反面、図２０では、初期伝送に使用されるＲＳ  ｓｅｑｕｅｎｃｅが繰り返し伝送に使用されるＲＳ  ｓｅｑｕｅｎｃｅより大きいＣＳ  ｇａｐを有する構成を示している。
【０３６９】
即ち、図２０のように初期伝送及び繰り返し伝送に使用されるＲＳ  ｓｅｑｕｅｎｃｅのＣＳ  ｇａｐを異なるように設定すると、初期伝送の受信が失敗する確率を最小化できる。
【０３７０】
Ｂ＞Ｎｏｎ−Ｓｙｍｍｅｔｒｉｃ  ｐｏｗｅｒ  ｃｏｎｔｒｏｌ
【０３７１】
端末は、初期伝送と繰り返し伝送とに対して互いに異なるＴＸ  ｐｏｗｅｒを使用できる。一例として、端末は、初期伝送に対してさらに（additionally）所定のオフセットほどの伝送電力を割り当てて初期伝送を行うことができる。
【０３７２】
３．６．端末固有のＨＡＲＱ−ＡＣＫフィードバックによる多重ＨＡＲＱプロセスハンドリング（Handling multiple HARQ process by UE-specific HARQ-ACK feedback）
【０３７３】
端末がｇｒａｎｔ−ｆｒｅｅ上りリンク伝送に対してＨＡＲＱ−ＡＣＫフィードバックを受信する場合、フィードバックによって端末の上りリンク伝送モードがｇｒａｎｔ−ｂａｓｅｄ上りリンク伝送モードに変更される。ｇｒａｎｔ−ｆｒｅｅ上りリンク伝送において、ＨＡＲＱプロセスを端末が任意（自動的）に（autonomously）決定できるので、基地局は、該当ＨＡＲＱプロセスを予め予約する必要がある。このとき、該当ＨＡＲＱプロセスがｇｒａｎｔ−ｂａｓｅｄに転換されると、端末と基地局との間のミスマッチが発生する。よって、本発明では、端末のｇｒａｎｔ−ｆｒｅｅ上りリンク伝送がｇｒａｎｔ−ｂａｓｅｄ上りリンク伝送に変更された場合に適用可能な端末及び基地局の動作について詳しく説明する。
【０３７４】
（１）同一のＨＰＮを使用
【０３７５】
−基地局は、あるＨＡＲＱプロセス番号をｇｒａｎｔ−ｆｒｅｅについてのみ使用するように予約することができる。このとき、ｇｒａｎｔ−ｆｒｅｅ伝送の再伝送に限って該当ＨＰＮが一時的（臨時）に（temporarily）ｇｒａｎｔ−ｂａｓｅｄで動作する（一時的にｇｒａｎｔ−ｂａｓｅｄを使用する）。この場合、該当ＨＰＮは、該当ＴＢの伝送が完了するまでｇｒａｎｔ−ｆｒｅｅ伝送は使用できない。
【０３７６】
−ｇｒａｎｔ−ｆｒｅｅ  ＨＡＲＱプロセスに対して優先権が設定されることができる。より具体的には、あるＨＰＮ  Ｘがｇｒａｎｔ−ｆｒｅｅで動作するとき、ＵＬグラントが同一のＨＰＮ  Ｘを示すと、端末はＵＬグラントを無視できる。
【０３７７】
（２）ｇｒａｎｔ−ｆｒｅｅからｇｒａｎｔ−ｂａｓｅｄへの転換時に他のＨＰＮに転換
【０３７８】
−この場合、転換される前のＨＰＮは、他のＴＢに対するｇｒａｎｔ−ｆｒｅｅ伝送に使用できる。
【０３７９】
上述した３．１．及び３．２．でのように、ＵＥ−ｓｐｅｃｉｆｉｃ  ＨＡＲＱ−ＡＣＫフィードバックとこれに関連する上りリンク伝送との間の連結（リンク）は、該当上りリンク伝送のＨＰＮ及び該当フィードバックに含まれたＨＰＮ情報によって特定されるか、或いは該当上りリンクの伝送に使用されたリソース及び該当フィードバックに含まれたリソース情報、又はフィードバックが伝送されたリソースによって特定できる。これらを考慮したとき、端末のｇｒａｎｔ−ｆｒｅｅ伝送モードからｇｒａｎｔ−ｂａｓｅｄへの転換は、以下のようなメッセージに基づいて行われることができる。
【０３８０】
１）上述した（１）の方法が適用される場合、端末のｇｒａｎｔ−ｆｒｅｅ伝送のＨＰＮ及びｇｒａｎｔ−ｂａｓｅｄリソースを含むＨＡＲＱ−ＡＣＫフィードバックに基づいて、端末のｇｒａｎｔ−ｆｒｅｅ伝送モードからｇｒａｎｔ−ｂａｓｅｄへの転換が行われることができる。
【０３８１】
２）上述した（２）の方法が適用される場合、ｇｒａｎｔ−ｆｒｅｅリソースとこれに使用されるｇｒａｎｔ−ｂａｓｅｄ伝送のＨＰＮ情報とを含むＨＡＲＱ−ＡＣＫフィードバックに基づいて、端末のｇｒａｎｔ−ｆｒｅｅ伝送モードからｇｒａｎｔ−ｂａｓｅｄへの転換が行われることができる。このとき、ＨＰＮを除いた方法でフィードバックとｇｒａｎｔ−ｆｒｅｅ上りリンク伝送との連結関係が成り立つことができる。
【０３８２】
２−１）ｇｒａｎｔ−ｆｒｅｅ伝送又はその伝送に関連するＨＰＮによってＨＡＲＱ−ＡＣＫフィードバックのＣＲＣスクランブルが変わる。
【０３８３】
２−２）ｇｒａｎｔ−ｆｒｅｅ伝送又はその伝送に関連するＨＰＮによってＨＡＲＱ−ＡＣＫフィードバックが伝達されるリソースが変わる。
【０３８４】
２−３）ＨＡＲＱ−ＡＣＫフィードバックは、ｇｒａｎｔ−ｆｒｅｅ伝送に使用されたリソースの割り当て又はそれに対するインデックスを含むことができる。
【０３８５】
２−４）ＨＡＲＱ−ＡＣＫフィードバックは、ｇｒａｎｔ−ｂａｓｅｄのＨＰＮだけではなく、ｇｒａｎｔ−ｆｒｅｅのＨＰＮも含むことができる。
【０３８６】
ｇｒａｎｔ−ｆｒｅｅ上りリンク伝送及びｇｒａｎｔ−ｂａｓｅｄ上りリンク伝送のＨＡＲＱプロセスＩＤが個々に設定されても、同時に動作できるＨＡＲＱプロセスの総数は、端末のｓｏｆｔ  ｂｕｆｆｅｒなどにより制限される。このとき、端末のｇｒａｎｔ−ｆｒｅｅ伝送の試みが制限されないように、ｇｒａｎｔ−ｂａｓｅｄのためのＨＡＲＱプロセスの数は、最大ＨＡＲＱプロセス番号をＮとしたとき、Ｎ−１に制限される。また、端末は、任意に（arbitrarily）ｇｒａｎｔ−ｂａｓｅｄ上りリンク伝送のＨＡＲＱプロセスのうちのいずれか１つを中断し、ｇｒａｎｔ−ｆｒｅｅ伝送を行うことができる。
【０３８７】
３．７．Ａ／Ｎ受信失敗のケースをハンドリングするための情報（Information for Handling A/N missing case）
【０３８８】
伝送フィードバックのタイプと関係なく該当フィードバックが受信されない状況が発生することができる。よって、以下のような事項が考えられる。
【０３８９】
基地局は、フィードバックに対する確認メッセージを要求しないので、該当フィードバックの伝送が成功したか否かを分かることができない。
【０３９０】
一例として、該当フィードバックがＮＡＣＫである場合（特に、ＲＡ情報を含むＤＣＩで伝送失敗を知らせる場合）、基地局は、端末の再伝送を期待できる。よって、基地局は、該当ＲＡで期待した再伝送に対する受信を試みることができる。
【０３９１】
このとき、端末が該当ＤＣＩを受信できなかった場合、基地局は、端末の再伝送受信に失敗することが明らかである。よって、基地局は、受信できなかった再伝送について２回目の再伝送を要求できる。
【０３９２】
このとき、端末が分からない２回目の再伝送に対するフィードバックを受信した場合（特に、該当フィードバックが、第２タイプリソースを通じたフィードバックのように単にｇｒａｎｔ−ｆｒｅｅリソースに連結されるか、或いは第１タイプリソースを通じて伝送されてもＴＢのＨＡＲＱプロセス番号というよりむしろ（ではない）（rather than）（単純）ＤＣＩのｒｅｃｅｐｔｉｏｎ  ｔｉｍｉｎｇなどでｔｒａｎｓｍｉｓｓｉｏｎがＵＬ  ｇｒａｎｔに関連する場合）、端末は、（元々）再伝送すべきＴＢを正確に把握することができない。
【０３９３】
よって、このような問題を解決するために、以下のような方法が考えられる。
【０３９４】
（１）常に決められた再伝送タイミングｔ＿ＨＡＲＱ（synchronomous HARQ）を使用
【０３９５】
より具体的には、端末は、時間ＴにＵＬグラントを受信したが、時間Ｔ−ｔ＿ＨＡＲＱにおいて端末が行った信号伝送が存在しないことができる。このとき、端末は、ＵＬグラントが時間Ｔ−ｎ＊ｔ＿ＨＡＲＱの信号伝送に対するＵＬグラント（即ち、フィードバック）であると仮定する。このとき、ｎは１より大きい自然数が適用される。
【０３９６】
さらに、基地局は、ＤＣＩに明示的にｎ番目の再伝送であることを表示して端末に伝送することができる。これにより、端末がＤＣＩを含むＵＬグラントを受信した場合、端末は、該当ＵＬグラントが時間Ｔ−ｎ＊ｔ＿ＨＡＲＱの信号伝送に対するフィードバックであると仮定できる。
【０３９７】
（２）端末は、ＵＬグラントを受信したタイミング又は時間ウィンドウに基づいてＵＬグラントに対応する上りリンク伝送を決定することができる。この場合、基地局は、ＵＬグラントに該当タイミング又は時間ウィンドウに対するオフセット情報を含ませて端末に提供する。
【０３９８】
この場合、ｎ番目の再伝送に対するＵＬグラントが示す信号伝送はいつも初期伝送である。このとき、再伝送の回数を示すために、基地局は、ＵＬグラントに明示的なビットフィールドを追加するか、或いはＵＬグラント伝送に使用するＣＲＣスクランブルを変える（異なるようにする）（change）ことができる。これにより、端末は再伝送の回数を類推できる。
【０３９９】
（３）ＵＬグラントは、以前の信号伝送に対するリソース情報を含むことができる。これにより、ＵＬグラントとＴＢとの連関関係が設定される。この場合、該当リソース情報が表示可能な情報の範囲（量）（amount）は、十分に大きく設定され、再伝送の回数とは関係なくいつも初期伝送を示すことができる。
【０４００】
（４）ＵＬグラントは、以前の信号伝送に対するリソース情報を含むことができる。これにより、ＵＬグラントとＴＢとの連関関係が設定される。このとき、基地局は以前の信号伝送に対するリソース情報に所定のオフセット情報を含むことにより、初期伝送と以前の伝送との差を示すことができる。これにより、ＵＬグラントは、初期伝送の（時間）位置と以前の伝送の（時間）位置とを同時に示すことができる。
【０４０１】
図２１は、本発明の一例による端末及び基地局の動作の例を簡単に示す図である。
【０４０２】
図２１に示したように、端末１は、基地局１００によってグラントのない上りリンク伝送（ｇｒａｎｔ−ｆｒｅｅ伝送）が設定される（Ｓ２１１０）。
【０４０３】
このとき、設定は、所定のＲＲＣシグナリングによって行われる。
【０４０４】
ここで、グラントのない上りリンク伝送とは、特別な動的シグナリング（例えば、ＵＬグラントなど）なしで基地局により設定されたリソースを通じて端末が上りリンク信号を伝送する構成を意味する。
【０４０５】
次に、端末１は、基地局１００に１回以上の上りリンク信号を繰り返して伝送する（Ｓ２１２０）。ここで、上りリンク信号の繰り返し伝送は、一定周期内に基地局によって設定されたリソースを通じて行われる。
【０４０６】
このとき、一定周期内に１回以上繰り返し伝送した上りリンク信号は、いずれも同一のＨＡＲＱプロセスＩＤに対応するように設定される。
【０４０７】
また、端末に対して繰り返し伝送回数がＫ回に設定された場合、端末の繰り返し伝送は、（１）上記一定周期内に端末がＫ回ほど繰り返し伝送を行ったか、或いは（２）上記一定周期が終了したときに完了される。
【０４０８】
また、端末は、上りリンク信号に対する確認応答情報を基地局から得ることができる。
【０４０９】
このとき、端末が上りリンク信号に対する確認応答情報を得ることは、１）基地局からＨＡＲＱプロセスＩＤに対応する確認応答情報を受信すると、端末は、上りリンク信号に対するＮＡＣＫ（Non-ACKnowledgement）を得、２）基地局からＨＡＲＱプロセスＩＤに対応する確認応答情報を受信しないと、端末は、上りリンク信号に対するＡＣＫを得ることを含む。
【０４１０】
このとき、端末が上りリンク信号に対するＮＡＣＫを得た場合、端末は、上りリンク信号に対する再伝送を行うことができる。
【０４１１】
また、確認応答情報は、＜１＞端末に対するリソース割り当て情報として特定の値を指示する情報、及び＜２＞現在使用していないＨＡＲＱプロセスを用いたフィードバック情報のうち、いずれか１つ又は両方（複数）の（either or both of）組み合わせにより指示される。
【０４１２】
ＨＡＲＱプロセスＩＤは、繰り返し伝送のうち、最初の伝送（initial transmission）が行われるリソースに基づいて（例えば、最初の伝送が行われるか或いは行われることができるリソースの位置など）決定される。
【０４１３】
なお、端末によって繰り返し伝送される上りリンク信号に対応するリダンダンシバージョンは、端末に割り当てられたリソースに基づいて決定されるパターンによって変更可能である。
【０４１４】
このような端末の構成に対応して、基地局は、Ｓ２１２０段階において端末から１回以上繰り返し伝送された上りリンク信号を受信する。
【０４１５】
このとき、端末に対して繰り返し伝送回数がＫ回に設定された場合（Ｋは１以上の自然数）、基地局は、一定周期内に端末の繰り返し伝送方法によって端末から１回以上、Ｋ回以下、上りリンク信号を受信できる。
【０４１６】
また、基地局は、受信した上りリンク信号がデコードできたか否かによって端末へのＨＡＲＱプロセスＩＤに対応する確認応答情報の伝送又は伝送放棄のうちのいずれかを選択する。
【０４１７】
より具体的には、基地局は、受信した上りリンク信号のデコードに成功すると、所定の確認応答情報を端末に伝送せず（即ち、伝送放棄）、受信した上りリンク信号のデコードに失敗すると、所定の確認応答情報を端末に伝送する。よって確認応答情報は、上りリンク信号に対するＮＡＣＫに対応できる。
【０４１８】
又は、基地局は、受信した上りリンク信号がデコードできたか否かによって端末へのＨＡＲＱプロセスＩＤに対応する確認応答情報を伝送する。このとき、確認応答情報は、＜１＞端末に対するリソース割り当て情報として特定の値を指示する情報、及び＜２＞現在使用していないＨＡＲＱプロセスを用いたフィードバック情報のうち、いずれか１つ又は両方の組み合わせにより指示される。
【０４１９】
上述した提案方式に対する一例も本発明の具現方法の１つとして含まれてもよく、一種の提案方式と見なし得ることは明白な事実である。また、上述した提案方式は、独立して具現されてもよく、一部の提案方式の組合せ（又は、併合）の形態で具現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０４２０】
４．装置構成
【０４２１】
図２２は、提案する実施例が具現される端末及び基地局の構成を示す図である。図２２に示した端末及び基地局は、上述した端末及び基地局の動作方法の実施例を具現するように動作する。
【０４２２】
端末（ＵＥ：User Equipment）１は、上りリンクでは送信端として動作し、下りリンクでは受信端として動作することができる。また、基地局（ｅＮＢ：e-Node B）１００は、上りリンクでは受信端として動作し、下りリンクでは送信端として動作することができる。
【０４２３】
すなわち、端末及び基地局は、情報、データ及び／又はメッセージの送信及び受信を制御するためにそれぞれ、送信器（Transmitter）１０，１１０及び受信器（Receiver）２０，１２０を含むことができ、情報、データ及び／又はメッセージを送受信するためのアンテナ３０，１３０などを含むことができる。
【０４２４】
また、端末及び基地局は、それぞれ、上述した本発明の実施例を行うためのプロセッサ（Processor）４０，１４０、及びプロセッサの処理過程を一時的に又は持続的に記憶できるメモリ５０，１５０を含むことができる。
【０４２５】
このように構成された端末１は、基地局によってグラントのない上りリンク伝送が設定された場合、送信器１０を制御するプロセッサ４０を介して一定周期内に基地局によって設定されたリソースを通じて１回以上上りリンク信号に対する繰り返し伝送を行う。このとき、一定周期内に１回以上繰り返し伝送した上りリンク信号は、いずれも同一のＨＡＲＱプロセスＩＤに対応する。
【０４２６】
これに対応して、基地局１００は、端末に対してグラントのない上りリンク伝送が設定された場合、受信器１２０を制御するプロセッサ１４０を介して端末から一定周期内に基地局によって設定されたリソースを通じて１回以上上りリンク信号を受信する。このとき、一定周期内に１回以上繰り返し伝送した上りリンク信号は、いずれも同一のＨＡＲＱプロセスＩＤに対応する。
【０４２７】
端末及び基地局に含まれた送信器及び受信器は、データ送信のためのパケット変復調機能、高速パケットチャネルコーディング機能、直交周波数分割多元接続（ＯＦＤＭＡ：Orthogonal Frequency Division Multiple Access）パケットスケジューリング、時分割デュプレックス（ＴＤＤ：Time Division Duplex）パケットスケジューリング及び／又はチャネル多重化機能を有することができる。また、図２２の端末及び基地局は、低電力ＲＦ（Radio Frequency）／ＩＦ（Intermediate Frequency）ユニットをさらに含むことができる。
【０４２８】
一方、本発明において端末として、個人携帯端末機（ＰＤＡ：Personal Digital Assistant）、セルラフォン、個人通信サービス（ＰＣＳ：Personal Communication Service）フォン、ＧＳＭ（登録商標）（Global System for Mobile）フォン、ＷＣＤＭＡ（登録商標）（Wideband CDMA）フォン、ＭＢＳ（Mobile Broadband System）フォン、ハンドヘルドＰＣ（Hand-Held PC）、ノートＰＣ、スマート（Smart）フォン、又はマルチモードマルチバンド（ＭＭ−ＭＢ：Multi Mode-Multi Band）端末機などを用いることができる。
【０４２９】
ここで、スマートフォンとは、移動通信端末機及び個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Code Division Multiple Access）２０００システム、ＷＣＤＭＡ（登録商標）（Wideband CDMA）システムなど）のいずれにおいても作動し得る端末機のことを指す。
【０４３０】
本発明の実施例は、様々な手段によって具現することができる。例えば、本発明の実施例は、ハードウェア、ファームウェア（firmware）、ソフトウェア、又はそれらの結合などによって具現することができる。
【０４３１】
ハードウェアによる具現の場合、本発明の実施例による方法は、１つ又は複数のＡＳＩＣ（Application Specific Integrated Circuit）、ＤＳＰ（Digital Signal Processor）、ＤＳＰＤ（Digital Signal Processing Device）、ＰＬＤ（Programmable Logic Device）、ＦＰＧＡ（Field Programmable Gate Array）、プロセッサ、コントローラ、マイクロコントローラ、マイクロプロセッサなどによって具現することができる。
【０４３２】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ２６８０，２６９０に記憶（格納）し（stored）、プロセッサ２６２０，２６３０によって駆動することができる。上記メモリユニットは、上記プロセッサの内部又は外部に設けられて、既に公知である様々な手段によって上記プロセッサとデータをやり取りすることができる。
【０４３３】
本発明は、本発明の技術的アイディア及び必須の特徴から逸脱しない範囲で他の特定の形態として具体化することができる。したがって、上記の詳細な説明は、いずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０４３４】
本発明の実施例は、様々な無線アクセスシステムに適用することができる。様々な無線アクセスシステムの一例として３ＧＰＰ（3rd Generation Partnership Project）又は３ＧＰＰ２システムなどがある。本発明の実施例は、上記様々な無線アクセスシステムの他、上記様々な無線アクセスシステムを応用した全ての技術分野にも適用することができる。さらに、提案した方法は、超高周波帯域を利用するｍｍＷａｖｅ通信システムにも適用することができる。
【図１】
2020127242.tif 000014
【図２】
2020127242.tif 000015
【図３】
2020127242.tif 000016
【図４】
2020127242.tif 000017
【図５】
2020127242.tif 000018
【図６】
2020127242.tif 000019
【図７】
2020127242.tif 000020
【図８】
2020127242.tif 000021
【図９】
2020127242.tif 000022
【図１０】
2020127242.tif 000023
【図１１】
2020127242.tif 000024
【図１２】
2020127242.tif 000025
【図１３】
2020127242.tif 000026
【図１４】
2020127242.tif 000027
【図１５】
2020127242.tif 000028
【図１６】
2020127242.tif 000029
【図１７】
2020127242.tif 000030
【図１８】
2020127242.tif 000031
【図１９】
2020127242.tif 000032
【図２０】
2020127242.tif 000033
【図２１】
2020127242.tif 000034
【図２２】
2020127242.tif 000035
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
無線通信システムにおいて端末が基地局と通信するのに動作する方法であって、
繰り返し上りリンク伝送を行う繰り返し回数Ｋを決定することと、
ハイブリッド自動再送要求（ＨＡＲＱ）プロセス識別情報（ＩＤ）と関連する１つの時間区間内の連続する時間領域リソース上で前記繰り返し上りリンク伝送を行うことであって、前記繰り返し上りリンク伝送は、前記基地局によって動的スケジューリングなしで設定されることと、
前記１つの時間区間の終わりで前記繰り返し上りリンク伝送を終了させることであって、前記繰り返し上りリンク伝送の回数は、前記１つの時間区間の終わりで前記繰り返し回数Ｋに到達しないことと、を有する、端末の動作方法。
【請求項２】
前記端末の動作方法は、さらに、
前記繰り返し上りリンク伝送に対する確認応答情報を得ることを有する、請求項１に記載の端末の動作方法。
【請求項３】
前記繰り返し上りリンク伝送に対する確認応答情報を得ることは、
前記基地局から前記繰り返し上りリンク伝送と関連する前記ＨＡＲＱプロセスＩＤに対応する確認応答情報を受信すると、前記繰り返し上りリンク伝送に対する否定応答（Non-ACKnowledgement；ＮＡＣＫ）を得ることと、
前記基地局から前記繰り返し上りリンク伝送と関連するＨＡＲＱプロセスＩＤに対応する確認応答情報を受信しないと、前記繰り返し上りリンク伝送に対する確認応答（ACKnowledgement；ＡＣＫ）を得ることと、を有する、請求項２に記載の端末の動作方法。
【請求項４】
前記端末の動作方法は、さらに、
前記端末が前記繰り返し上りリンク伝送に対するＮＡＣＫを受信した場合、前記繰り返し上りリンク伝送に対する再伝送を行うことを有する、請求項３に記載の端末の動作方法。
【請求項５】
前記確認応答情報は、
前記端末に対するリソース割り当て（resource allocation）情報として特定の値を指示する情報、及び
現在使用していないＨＡＲＱプロセスを用いたフィードバック情報のうち、いずれか１つ又は両方の組み合わせにより指示される、請求項２に記載の端末の動作方法。
【請求項６】
前記繰り返し上りリンク伝送と関連する前記ＨＡＲＱプロセスＩＤは、前記繰り返し上りリンク伝送のうちの最初の伝送が行われるリソースに基づいて決定される、請求項１に記載の端末の動作方法。
【請求項７】
前記繰り返し上りリンク伝送に対するリダンダンシバージョン（redundancy version）は、前記繰り返し上りリンク伝送に対する各送信オケージョン（transmission occasion）に基づいて決定される、請求項１に記載の端末の動作方法。
【請求項８】
無線通信システムにおいて基地局が端末と通信するのに動作する方法であって、
ハイブリッド自動再送要求（ＨＡＲＱ）プロセス識別情報（ＩＤ）と関連する１つの時間区間内の連続するリソース上で繰り返し上りリンク伝送を受信することであって、前記繰り返し上りリンク伝送は、前記基地局によって動的スケジューリングなしで設定されることを有し、
前記１つの時間区間の終わりまで前記繰り返し上りリンク伝送の受信は行われ、前記繰り返し上りリンク伝送の回数は、前記１つの時間区間の終わりで繰り返し回数Ｋに到達せず、
前記繰り返し上りリンク伝送を行う前記繰り返し回数Ｋは、前記基地局によって設定される、基地局の動作方法。
【請求項９】
前記基地局の動作方法は、さらに、
前記繰り返し上りリンク伝送が成功裏にデコードされたか否かに基づいて、前記端末に関する前記繰り返し上りリンク伝送と関連する前記ＨＡＲＱプロセスＩＤに対応する確認応答情報を伝送するか、又は前記確認応答情報の伝送をドロップするかのいずれかを行うことを有する、請求項８に記載の基地局の動作方法。
【請求項１０】
前記確認応答情報は、前記繰り返し上りリンク伝送に対するＮＡＣＫ（Non-ACKnowledgement）に対応する、請求項９に記載の基地局の動作方法。
【請求項１１】
前記基地局の動作方法は、さらに、
前記基地局が確認応答情報を伝送した場合、前記端末から前記繰り返し上りリンク伝送に対して再伝送された信号を受信することを有する、請求項９に記載の基地局の動作方法。
【請求項１２】
前記基地局の動作方法は、さらに、
前記繰り返し上りリンク伝送が成功裏にデコードされたか否かに基づいて、前記端末に前記ＨＡＲＱプロセスＩＤに対応する確認応答情報を伝送することを有し、
前記確認応答情報は、
前記端末に対するリソース割り当て情報として特定の値を指示する情報、及び
現在使用していないＨＡＲＱプロセスを用いたフィードバック情報のうち、いずれか１つ又は両方の組み合わせにより指示される、請求項８に記載の基地局の動作方法。
【請求項１３】
前記繰り返し上りリンク伝送と関連する前記ＨＡＲＱプロセスＩＤは、前記端末が前記繰り返し上りリンク伝送のうちの最初の伝送を行うリソースに基づいて決定される、請求項８に記載の基地局の動作方法。
【請求項１４】
前記繰り返し上りリンク伝送のうちの最初の伝送が行われるリソースは、
前記１つの時間区間の特定のリソースインデックスに基づいて決定される、請求項８に記載の基地局の動作方法。
【請求項１５】
無線通信システムにおいて基地局と信号を送受信する通信装置であって、
メモリと、
前記メモリと動作可能に接続されるプロセッサと、を有し、
前記プロセッサは、
繰り返し上りリンク伝送を行う繰り返し回数Ｋを決定し、
ハイブリッド自動再送要求（ＨＡＲＱ）プロセス識別情報（ＩＤ）と関連する１つの時間区間内の連続する時間領域リソース上で前記繰り返し上りリンク伝送を行い、前記繰り返し上りリンク伝送は、前記基地局によって動的スケジューリングなしで設定され、
前記１つの時間区間の終わりで前記繰り返し上りリンク伝送を終了し、前記繰り返し上りリンク伝送の回数は、前記１つの時間区間の終わりで前記繰り返し回数Ｋに到達しない、ように構成される、通信装置。